(57)【要約】【課題】圧縮式冷凍機（２）と、吸収式冷凍機（１０）と、圧縮式冷凍機（２）及び吸収式冷凍機（１０）で発生する冷熱を室内ユニット（２２）へ搬送する利用側回路（２０）とを備える冷凍システムについて、吸収式冷凍機（１０）から利用側回路（２０）の冷媒へ伝えられる冷熱の熱損失を可及的に低減する。【解決手段】利用側回路（２０）の熱媒体を相変化する冷媒とし、該利用側回路（２０）に、圧縮式冷凍機（２）の蒸発器（６）の第１主熱交換器（ＨＥＸ５）と、吸収式冷凍機（１０）の蒸発器（１３）の第２主熱交換器（ＨＥＸ２）とをそれぞれ直接に接続し、第１主熱交換器（ＨＥＸ５）において利用側回路（２０）の冷媒と圧縮式冷凍機（２）の冷媒との間で熱交換させる一方、第２主熱交換器（ＨＥＸ２）において利用側回路（２０）の冷媒と吸収式冷凍機（１０）の冷媒との間で熱交換させる。【選択図】　図１
2004101035.tif 000002
【特許請求の範囲】
【請求項１】
蒸気圧縮式冷凍サイクルを行う圧縮式冷凍機（２）と、
吸収式冷凍サイクルを行う吸収式冷凍機（１０）と、
上記圧縮式冷凍機（２）及び吸収式冷凍機（１０）で発生する冷熱又は温熱を、相変化する冷媒により利用側ユニット（２２）へ搬送する利用側回路（２０）とを備える冷凍システムであって、
上記利用側回路（２０）には、上記圧縮式冷凍機（２）及び吸収式冷凍機（１０）の各冷熱発生器（６，１３）、又は圧縮式冷凍機（２）及び吸収式冷凍機（１０）の各温熱発生器（４，９）がそれぞれ直接に接続されている
ことを特徴とする冷凍システム。
【請求項２】
蒸気圧縮式冷凍サイクルを行う圧縮式冷凍機（２）と、
吸収式冷凍サイクルを行う吸収式冷凍機（１０）と、
上記圧縮式冷凍機（２）及び吸収式冷凍機（１０）で発生する冷熱又は温熱を、相変化する冷媒により利用側ユニット（２２）へ搬送する利用側回路（２０）とを備える冷凍システムであって、
上記利用側回路（２０）には、上記圧縮式冷凍機（２）の冷熱発生器（６）又は温熱発生器（４）と、上記吸収式冷凍機（１０）の冷熱発生器（１３）及び温熱発生器（９）とがそれぞれ直接に接続されると共に、冷房時に冷媒が上記各冷熱発生器（６，１３）に流れ、暖房時に冷媒が上記各温熱発生器（４，９）に流れるように冷媒通路を切り換える切換機構（ＳＶ４，ＳＶ５）が設けられている
ことを特徴とする冷凍システム。
【請求項３】
請求項１又は２において、
上記圧縮式冷凍機（２）及び吸収式冷凍機（１０）の各冷熱発生器（６，１３）は、利用側回路（２０）に直列に設けられている
ことを特徴とする冷凍システム。
【請求項４】
請求項１又は２において、
上記圧縮式冷凍機（２）及び吸収式冷凍機（１０）の各温熱発生器（４，９）は、利用側回路（２０）に直列に設けられている
ことを特徴とする冷凍システム。
【請求項５】
請求項３において、
上記吸収式冷凍機（１０）の冷媒は、水であり、
圧縮式冷凍機（２）の冷熱発生器（６）には、吸収式冷凍機（１０）の冷熱発生器（１３）を通過した利用側回路（２０）の冷媒が流れるように構成されている
ことを特徴とする冷凍システム。
【請求項６】
請求項３において、
上記吸収式冷凍機（１０）の冷媒の蒸発温度は、０℃以下であり、
吸収式冷凍機（１０）の冷熱発生器（１３）には、圧縮式冷凍機（２）の冷熱発生器（６）を通過した利用側回路（２０）の冷媒が流れるように構成されている
ことを特徴とする冷凍システム。
【請求項７】
請求項４において、
上記吸収式冷凍機（１０）の温熱発生器（９）には、圧縮式冷凍機（２）の温熱発生器（４）を通過した利用側回路（２０）の冷媒が流れるように構成されている
ことを特徴とする冷凍システム。
【請求項８】
請求項１〜７の何れか１つにおいて、
上記圧縮式冷凍機（２）の冷熱発生器（６）は、該圧縮式冷凍機（２）の蒸発器（６）であり、
吸収式冷凍機（１０）の冷熱発生器（１３）は、該吸収式冷凍機（１０）の蒸発器（１３）である
ことを特徴とする冷凍システム。
【請求項９】
請求項１〜８の何れか１つにおいて、
上記圧縮式冷凍機（２）の温熱発生器（４）は、該圧縮式冷凍機（２）の凝縮器（４）である
ことを特徴とする冷凍システム。
【請求項１０】
請求項９において、
上記吸収式冷凍機（１０）の温熱発生器は、該吸収式冷凍機（１０）の凝縮器（９２）及び吸収器（９４）の少なくとも一方である
ことを特徴とする冷凍システム。
【請求項１１】
請求項９において、
上記吸収式冷凍機（１０）の温熱発生器（９）は、該吸収式冷凍機（１０）の冷媒の凝縮熱によって利用側回路（２０）の冷媒を加熱する熱交換器（９）である
ことを特徴とする冷凍システム。
【請求項１２】
請求項１〜１１の何れか１つにおいて、
上記利用側回路（２０）は、該利用側回路（２０）で冷媒を強制循環させるためのポンプ（３０）を備え、
上記ポンプ（３０）は、吸入した液冷媒を吐出する冷媒液ポンプ（３０）である
ことを特徴とする冷凍システム。
【請求項１３】
請求項１〜１１の何れか１つにおいて、
上記利用側回路（２０）は、該利用側回路（２０）で冷媒を強制循環させるためのポンプ（３０）を備え、
上記ポンプ（３０）は、吸入したガス冷媒を吐出する冷媒ガスポンプ（３０）である
ことを特徴とする冷凍システム。
【請求項１４】
請求項１〜１１の何れか１つにおいて、
上記利用側回路（２０）は、該利用側回路（２０）で冷媒を強制循環させるためのポンプ（３０）を備え、
上記ポンプ（３０）は、液冷媒を貯留するためのタンク（Ｔ１，Ｔ２）と、液冷媒を加熱して高圧のガス冷媒を生成する高圧部（ＨＥＸ３）と、ガス冷媒を冷却して低圧の液冷媒を生成する低圧部（ＨＥＸ４）とを備え、上記タンク（Ｔ１，Ｔ２）を高圧部（ＨＥＸ３）に連通させて加圧することにより該タンク（Ｔ１，Ｔ２）内から液冷媒を押し出す一方、タンク（Ｔ１，Ｔ２）を低圧部（ＨＥＸ４）に連通させて減圧することにより該タンク（Ｔ１，Ｔ２）内に液冷媒を吸引するように構成されている
ことを特徴とする冷凍システム。
【請求項１５】
請求項１４において、
上記ポンプ（３０）の高圧部（ＨＥＸ３）には、圧縮式冷凍機（２）又は吸収式冷凍機（１０）の温熱発生器（４，１２）からの放出熱が供給される
ことを特徴とする冷凍システム。
【請求項１６】
請求項１〜１５の何れか１つにおいて、
上記吸収式冷凍機（１０）は、発電機（１５）の排熱を熱源として駆動するように構成されている
ことを特徴とする冷凍システム。
【請求項１７】
請求項１６において、
上記発電機（１５）は、ガスタービン発電機（１５）であって、
利用側回路（２０）の利用側ユニット（２２）は、複数設けられており、
上記利用側ユニット（２２）の少なくとも１つは、上記ガスタービン発電機（１５）へ吸入される空気を冷却するように構成されている
ことを特徴とする冷凍システム。
【発明の詳細な説明】
【０００１】
【発明の属する技術分野】
本発明は、圧縮式冷凍機と吸収式冷凍機とを組み合わせて構成される冷凍システムに関する。
【０００２】
【従来の技術】
一般に、ホテルやレストラン等の建物において、必要な電気を発電するための発電機を設ける一方、該発電機の排熱を給湯や室内の空気調和等に利用するようにした熱電併給システム（コージェネレーションシステム）は知られている。そして、従来より、このような熱電併給システムにおいて、蒸気圧縮式冷凍サイクルを行う圧縮式冷凍機と、吸収式冷凍サイクルを行う吸収式冷凍機とを備える冷凍システムを設けることが知られている。
【０００３】
上記冷凍システムでは、例えば、圧縮式冷凍機には、２次側回路である利用側回路を介して複数の利用側ユニットが接続されており、該圧縮式冷凍機によって利用側回路の冷媒を冷却するようにしている。一方、吸収式冷凍機は、発電機の排熱により駆動して例えば冷熱を生成し、該冷熱を利用して、上記利用側回路の冷媒を冷却するようになっている。こうして、上記冷凍システムでは、圧縮式冷凍機と吸収式冷凍機とから発生する冷熱によって利用側回路の冷媒を冷却し、その冷却された冷媒を上記利用側ユニットへ搬送することで室内の冷房等を行うようにしている。
【０００４】
このような冷凍システムとして、従来より、例えば、特開平７−３１８１１５号公報に示されるものが知られている。このシステムでは、第１補助熱交換器及び第２補助熱交換器において、圧縮式冷凍機の冷媒回路の冷媒と、利用側回路の冷媒との間で熱交換を行うようになっている。一方、第３補助熱交換器及び他熱源利用熱交換器において、吸収式冷凍機で生成される冷水又は温水と、利用側回路の冷媒との間で熱交換を行うようにしている。
【０００５】
【発明が解決しようとする課題】
ところで、熱媒体間で熱交換を行うと、その熱交換に伴って熱損失が生じることが避けられない。したがって、吸収式冷凍機で発生した冷熱又は温熱を利用側回路の冷媒へ伝えるときに、熱媒体間での熱交換の回数が多いほど、全体としての熱損失は大きくなってしまう。
【０００６】
しかしながら、上記従来の冷凍システムでは、まず、吸収式冷凍機の冷熱発生器（例えば蒸発器等）や温熱発生器（例えば凝縮器等）において、該吸収式冷凍機の冷媒や吸収溶液と、熱媒体である水との間で熱交換が行われて冷水や温水が生成される。その後、上記冷水や温水と、利用側回路の冷媒との間で熱交換が行われる。つまり、吸収式冷凍機で発生した冷熱又は温熱は、利用側回路の冷媒へ伝えられる際に、合計２回の熱交換が行われる。その結果、熱交換に伴う熱損失が全体として比較的大きくなるという問題がある。
【０００７】
さらに、吸収式冷凍機から伝えられる熱の損失が大きくなる結果として、利用側ユニットの熱交換器を小型化することが難しくなるという問題も生じる。
【０００８】
本発明は斯かる諸点に鑑みてなされたものであり、その主たる目的とするところは、圧縮式冷凍機と吸収式冷凍機とで発生した冷熱又は温熱を、利用側回路を介して利用側ユニットへ搬送する冷凍システムについて、吸収式冷凍機から利用側回路の冷媒への伝熱に伴う熱損失を可及的に低減することにある。
【０００９】
【課題を解決するための手段】
上記の目的を達成するために、この発明では、圧縮式冷凍機及び吸収式冷凍機の各冷熱発生器、又は圧縮式冷凍機及び吸収式冷凍機の各温熱発生器をそれぞれ直接に利用側回路に接続するようにした。
【００１０】
具体的に、請求項１に係る発明は、蒸気圧縮式冷凍サイクルを行う圧縮式冷凍機（２）と、吸収式冷凍サイクルを行う吸収式冷凍機（１０）と、上記圧縮式冷凍機（２）及び吸収式冷凍機（１０）で発生する冷熱又は温熱を、相変化する冷媒により利用側ユニット（２２）へ搬送する利用側回路（２０）とを備える冷凍システムが対象である。そして、上記利用側回路（２０）には、上記圧縮式冷凍機（２）及び吸収式冷凍機（１０）の各冷熱発生器（６，１３）、又は圧縮式冷凍機（２）及び吸収式冷凍機（１０）の各温熱発生器（４，９）がそれぞれ直接に接続されている。
【００１１】
上記の発明によると、まず、圧縮式冷凍機（２）及び吸収式冷凍機（１０）の各冷熱発生器（６，１３）が利用側回路（２０）に直接に接続されている場合には、圧縮式冷凍機（２）の冷熱発生器（６）では、該圧縮式冷凍機（２）の冷媒と、利用側回路（２０）の冷媒との間で直接に熱交換が行われる。また、吸収式冷凍機（１０）の冷熱発生器（１３）では、該吸収式冷凍機（１０）の冷媒と、利用側回路（２０）の冷媒との間で直接に熱交換が行われる。
【００１２】
一方、圧縮式冷凍機（２）及び吸収式冷凍機（１０）の各冷熱発生器（６，１３）が利用側回路（２０）に直接に接続されている場合には、圧縮式冷凍機（２）の温熱発生器（４）では、該圧縮式冷凍機（２）の冷媒と、利用側回路（２０）の冷媒との間で直接に熱交換が行われる。また、吸収式冷凍機（１０）の温熱発生器（９）では、該吸収式冷凍機（１０）の冷媒や吸収溶液と、利用側回路（２０）の冷媒との間で直接に熱交換が行われる。
【００１３】
こうして、圧縮式冷凍機（２）及び吸収式冷凍機（１０）で発生した冷熱又は温熱は、各冷熱発生器（６，１３）又は温熱発生器（４，９）において１回の熱交換により利用側回路（２０）の冷媒へ伝えられ、効果的に冷却又は加熱される。冷却又は加熱された利用側回路（２０）の冷媒は、利用側ユニット（２２）へ搬送されて室内の冷房や暖房等に供される。
【００１４】
請求項２に係る発明は、蒸気圧縮式冷凍サイクルを行う圧縮式冷凍機（２）と、吸収式冷凍サイクルを行う吸収式冷凍機（１０）と、上記圧縮式冷凍機（２）及び吸収式冷凍機（１０）で発生する冷熱又は温熱を、相変化する冷媒により利用側ユニット（２２）へ搬送する利用側回路（２０）とを備える冷凍システムが対象である。そして、上記利用側回路（２０）には、上記圧縮式冷凍機（２）の冷熱発生器（６）又は温熱発生器（４）と、上記吸収式冷凍機（１０）の冷熱発生器（１３）及び温熱発生器（９）とがそれぞれ直接に接続されると共に、冷房時に冷媒が上記各冷熱発生器（６，１３）に流れ、暖房時に冷媒が上記各温熱発生器（４，９）に流れるように冷媒通路を切り換える切換機構（ＳＶ４，ＳＶ５）が設けられている。
【００１５】
上記の発明によると、冷房時に、切換機構（ＳＶ４，ＳＶ５）は、利用側回路（２０）の冷媒が、該利用側回路（２０）に接続されている圧縮式冷凍機（２）及び吸収式冷凍機（１０）の各冷熱発生器（６，１３）を流れるように、冷媒通路を切り換える。その結果、利用側回路（２０）の冷媒は、上記冷熱発生器（６，１３）において各冷凍機の冷媒との間で熱交換が行われて冷却される。
【００１６】
一方、暖房時に、切換機構（ＳＶ４，ＳＶ５）は、利用側回路（２０）の冷媒が、該利用側回路（２０）に接続されている圧縮式冷凍機（２）及び吸収式冷凍機（１０）の各温熱発生器（４，９）を流れるように、冷媒通路を切り換える。その結果、利用側回路（２０）の冷媒は、上記温熱発生器（４，９）において各冷凍機の冷媒や吸収溶液との間で熱交換が行われて加熱される。
【００１７】
請求項３に係る発明は、上記請求項１又は２に係る発明において、上記圧縮式冷凍機（２）及び吸収式冷凍機（１０）の各冷熱発生器（６，１３）は、利用側回路（２０）に直列に設けられている。
【００１８】
この発明によると、圧縮式冷凍機（２）と吸収式冷凍機（１０）との何れか一方の冷熱発生器（６，１３）を流れた冷媒は、その後に他方の冷熱発生器（６，１３）を流れることにより冷却される。
【００１９】
請求項４に係る発明は、上記請求項１又は２に係る発明において、上記圧縮式冷凍機（２）及び吸収式冷凍機（１０）の各温熱発生器（４，９）は、利用側回路（２０）に直列に設けられている。
【００２０】
上記の発明によると、圧縮式冷凍機（２）と吸収式冷凍機（１０）との何れか一方の温熱発生器（４，９）を流れた冷媒は、その後に他方の温熱発生器（４，９）を流れることにより加熱される。
【００２１】
請求項５に係る発明は、上記請求項３に係る発明において、上記吸収式冷凍機（１０）の冷媒は、水であり、圧縮式冷凍機（２）の冷熱発生器（６）には、吸収式冷凍機（１０）の冷熱発生器（１３）を通過した利用側回路（２０）の冷媒が流れるように構成されている。
【００２２】
この発明によると、吸収式冷凍機（１０）の冷媒が水であるため、その蒸発温度は、０℃を下回れない。そこで、利用側回路（２０）の冷媒は、まず、吸収式冷凍機（１０）の冷熱発生器（１３）で０℃以上の所定温度に冷却され、その後に、圧縮式冷凍機（２）の冷熱発生器（６）でさらに低温に冷却される。こうして、利用側回路（２０）の冷媒は、効率よく冷却される。
【００２３】
請求項６に係る発明は、上記請求項３に係る発明において、上記吸収式冷凍機（１０）の冷媒の蒸発温度は、０℃以下であり、吸収式冷凍機（１０）の冷熱発生器（１３）には、圧縮式冷凍機（２）の冷熱発生器（６）を通過した利用側回路（２０）の冷媒が流れるように構成されている。
【００２４】
この発明によると、吸収式冷凍機（１０）の冷媒の蒸発温度が０℃以下の低温であるので、利用側回路（２０）の冷媒は、まず、圧縮式冷凍機（２）の冷熱発生器（６）で予め冷却される。その後、上記冷媒は、吸収式冷凍機（１０）の冷熱発生器（１３）でさらに低温に冷却される。このとき、圧縮式冷凍機（２）の冷媒の蒸発圧力が比較的大きくなり、システム全体の効率が向上する。
【００２５】
請求項７に係る発明は、上記請求項４に係る発明において、上記吸収式冷凍機（１０）の温熱発生器（９）には、圧縮式冷凍機（２）の温熱発生器（４）を通過した利用側回路（２０）の冷媒が流れるように構成されている。
【００２６】
この発明によると、利用側回路（２０）の冷媒は、まず、圧縮式冷凍機（２）の温熱発生器（４）で予め加熱され、その後に、吸収式冷凍機（１０）の温熱発生器（９）でさらに加熱される。このとき、圧縮式冷凍機（２）の冷媒の凝縮圧力が比較的小さくなり、システム全体の効率が向上する。
【００２７】
請求項８に係る発明は、上記請求項１〜７の何れか１つに係る発明において、上記圧縮式冷凍機（２）の冷熱発生器（６）は、該圧縮式冷凍機（２）の蒸発器（６）であり、吸収式冷凍機（１０）の冷熱発生器（１３）は、該吸収式冷凍機（１０）の蒸発器（１３）である。
【００２８】
この発明によると、利用側回路（２０）の冷媒は、圧縮式冷凍機（２）の蒸発器（６）と、吸収式冷凍機（１０）の蒸発器（１３）との双方において冷却される。
【００２９】
請求項９に係る発明は、上記請求項１〜８の何れか１つに係る発明において、上記圧縮式冷凍機（２）の温熱発生器（４）は、該圧縮式冷凍機（２）の凝縮器（４）である。
【００３０】
この発明によると、利用側回路（２０）の冷媒は、圧縮式冷凍機（２）の凝縮器（４）において加熱される。
【００３１】
請求項１０に係る発明は、上記請求項９に係る発明において、上記吸収式冷凍機（１０）の温熱発生器は、該吸収式冷凍機（１０）の凝縮器（９２）及び吸収器（９４）の少なくとも一方である。
【００３２】
この発明によると、利用側回路（２０）の冷媒は、圧縮式冷凍機（２）の凝縮器（４）により加熱されると共に、吸収式冷凍機（１０）の凝縮器（９２）及び吸収器（９４）の少なくとも一方により加熱される。
【００３３】
請求項１１に係る発明は、上記請求項９に係る発明において、上記吸収式冷凍機（１０）の温熱発生器（９）は、該吸収式冷凍機（１０）の冷媒の凝縮熱によって利用側回路（２０）の冷媒を加熱する熱交換器（９）である。
【００３４】
上記の発明によると、吸収式冷凍機（１０）の再生器で吸収溶液から発生した冷媒ガスは、凝縮して高温の液冷媒となる。この液冷媒は、温熱発生器（９）である上記熱交換器（９）において、利用側回路（２０）の冷媒に放熱し、該利用側回路（２０）の冷媒を加熱する。一方、放熱することで低温になった吸収式冷凍機（１０）の液冷媒は、吸収溶液と共に上記再生器へ再び戻る。
【００３５】
請求項１２に係る発明は、上記請求項１〜１１の何れか１つに係る発明において、上記利用側回路（２０）は、該利用側回路（２０）で冷媒を強制循環させるためのポンプ（３０）を備え、上記ポンプ（３０）は、吸入した液冷媒を吐出する冷媒液ポンプ（３０）である。
【００３６】
上記の発明によると、利用側回路（２０）の冷媒は、冷媒液ポンプ（３０）が駆動することにより該利用側回路（２０）を循環し、圧縮式冷凍機（２）及び吸収式冷凍機（１０）で生じた冷熱又は温熱を利用側ユニット（２２）へ搬送する。したがって、利用側回路（２０）の冷媒は、簡単な構成により該利用側回路（２０）を循環する。
【００３７】
請求項１３に係る発明は、上記請求項１〜１１の何れか１つに係る発明において、上記利用側回路（２０）は、該利用側回路（２０）で冷媒を強制循環させるためのポンプ（３０）を備え、上記ポンプ（３０）は、吸入したガス冷媒を吐出する冷媒ガスポンプ（３０）である。
【００３８】
上記の発明によると、利用側回路（２０）の冷媒は、冷媒ガスポンプ（３０）が駆動することにより該利用側回路（２０）を循環し、圧縮式冷凍機（２）及び吸収式冷凍機（１０）で生じた冷熱又は温熱を利用側ユニット（２２）へ搬送する。そして、冷媒ガスポンプ（３０）の吐出側が圧縮式冷凍機（２）又は吸収式冷凍機（１０）の冷熱発生器（６，１３）に接続されている場合には、冷熱発生器（６，１３）の２次側の冷媒圧力が高くなって、その冷媒温度も高くなるため、冷熱発生器（６，１３）の１次側で冷媒が容易に蒸発する。
【００３９】
一方、冷媒ガスポンプ（３０）の吸入側が圧縮式冷凍機（２）又は吸収式冷凍機（１０）の温熱発生器（４，９）に接続されている場合には、温熱発生器（４，９）の２次側の冷媒圧力が低くなって、その冷媒温度も低くなるため、温熱発生器（４，９）の１次側で冷媒が容易に凝縮する。
【００４０】
請求項１４に係る発明は、上記請求項１〜１１の何れか１つに係る発明において、上記利用側回路（２０）は、該利用側回路（２０）で冷媒を強制循環させるためのポンプ（３０）を備え、上記ポンプ（３０）は、液冷媒を貯留するためのタンク（Ｔ１，Ｔ２）と、液冷媒を加熱して高圧のガス冷媒を生成する高圧部（ＨＥＸ３）と、ガス冷媒を冷却して低圧の液冷媒を生成する低圧部（ＨＥＸ４）とを備え、上記タンク（Ｔ１，Ｔ２）を高圧部（ＨＥＸ３）に連通させて加圧することにより該タンク（Ｔ１，Ｔ２）内から液冷媒を押し出す一方、タンク（Ｔ１，Ｔ２）を低圧部（ＨＥＸ４）に連通させて減圧することにより該タンク（Ｔ１，Ｔ２）内に液冷媒を吸引するように構成されている。
【００４１】
上記の発明によると、上記タンク（Ｔ１，Ｔ２）が高圧部（ＨＥＸ３）に連通すると、タンク（Ｔ１，Ｔ２）内は、高圧部（ＨＥＸ３）で生成された高圧のガス冷媒が導入されて加圧される。その結果、該タンク（Ｔ１，Ｔ２）内に貯留されている液冷媒が、タンク（Ｔ１，Ｔ２）外の利用側回路（２０）へ押し出される。一方、タンク（Ｔ１，Ｔ２）が低圧部（ＨＥＸ４）に連通すると、タンク（Ｔ１，Ｔ２）内は減圧され、タンク（Ｔ１，Ｔ２）外の利用側回路（２０）の冷媒が該タンク（Ｔ１，Ｔ２）内へ吸引される。このことにより、冷媒は利用側回路（２０）を循環する。
【００４２】
請求項１５に係る発明は、上記請求項１４に係る発明において、上記ポンプ（３０）の高圧部（ＨＥＸ３）には、圧縮式冷凍機（２）又は吸収式冷凍機（１０）の温熱発生器（４，１２）からの放出熱が供給される。
【００４３】
この発明によると、温熱発生器（４，１２）では冷媒の凝縮熱が放出される。これら温熱発生器（４，１２）からの放出熱は、上記ポンプ（３０）の高圧部（ＨＥＸ３）へ供給される。そして、高圧部（ＨＥＸ３）では、上記放出熱により液冷媒が加熱されて高圧のガス冷媒が生成される。
【００４４】
請求項１６に係る発明は、上記請求項１〜１５の何れか１つに係る発明において、上記吸収式冷凍機（１０）は、発電機（１５）の排熱を熱源として駆動するように構成されている。
【００４５】
この発明によると、発電機（１５）の排熱は、吸収式冷凍機（１０）の再生器へ供給される。再生器では、発電機（１５）から供給された排熱により吸収溶液が加熱され、該吸収溶液からガス冷媒が発生する。こうして、吸収式冷凍機（１０）は駆動する。
【００４６】
請求項１７に係る発明は、上記請求項１６に係る発明において、上記発電機（１５）は、ガスタービン発電機（１５）であって、利用側回路（２０）の利用側ユニット（２２）は、複数設けられており、上記利用側ユニット（２２）の少なくとも１つは、上記ガスタービン発電機（１５）へ吸入される空気を冷却するように構成されている。
【００４７】
上記の発明によると、ガスタービン発電機（１５）は、空気を吸入して燃料ガスを燃焼することで発電する。このとき、圧縮式冷凍機（２）及び吸収式冷凍機（１０）から生じる冷熱の一部は、複数のうち１つの利用側ユニット（２２）へ供給され、該利用側ユニット（２２）において、ガスタービン発電機（１５）へ吸入される空気が冷却される。その結果、吸入空気の温度上昇が低減されるため、発電機（１５）の出力の低下が防止される。
【００４８】
【発明の実施の形態】
（実施形態１）
以下、本発明の実施形態を図面に基づいて説明する。
【００４９】
図１は、本発明に係る冷凍システムの実施形態１を示している。この冷凍システム（１）は、圧縮式冷凍機（２）と、吸収式冷凍機（１０）と、利用側回路（２０）とを備えている。
【００５０】
上記圧縮式冷凍機（２）は、圧縮機（３）と、熱源側熱交換器と、膨張弁（５）と、利用側熱交換器である第１主熱交換器（ＨＥＸ５）と、四路切換弁（７）とを備え、これらは配管により接続され、１次側の冷媒回路（８）を構成している。冷媒回路（８）は、冷媒が循環することで、蒸気圧縮式冷凍サイクルを行うようになっている。そして、圧縮式冷凍機（２）は、四路切換弁（７）により冷媒通路を切り換えることで、冷房運転又は暖房運転を行うように構成されている。冷房運転時には、熱源側熱交換器が凝縮器（４）となると共に、第１主熱交換器（ＨＥＸ５）が蒸発器（６）となる。一方、暖房運転時には、熱源側熱交換器が蒸発器（６）となる一方、第１主熱交換器（ＨＥＸ５）が凝縮器となる。
【００５１】
上記吸収式冷凍機（１０）は、冷媒蒸気を、吸収溶液へ吸収させるための吸収器（１４）と、該吸収器（１４）内で冷媒蒸気を吸収して薄くなった吸収溶液から水を蒸発させて分離し、該吸収溶液を濃縮するための再生器（１１）とを備えている。再生器（１１）は、燃料である都市ガス等を燃焼させ、その燃焼熱により吸収溶液から冷媒を蒸発させて高圧の冷媒ガスを発生させるようになっている。さらに、吸収式冷凍機（１０）は、水蒸気を凝縮する凝縮器（１２）と、凝縮した水を蒸発させる蒸発器（１３）とを備えている。蒸発器（１３）には、利用側熱交換器である第２主熱交換器（ＨＥＸ２）が設けられている。そして、これらは配管により接続され、１次側の冷媒回路（２３）を構成している。
【００５２】
こうして、吸収式冷凍機（１０）は、１次側媒体である水が冷媒回路（２３）で循環することで、吸収式冷凍サイクルを行い、蒸発器（１３）で冷熱を発生するようになっている。
【００５３】
尚、吸収式冷凍機（１０）は、冷却ファン（図示省略）からの空気流によって、吸収器（１４）の吸収溶液や凝縮器（１２）を流れる熱媒体を冷却するようになっている。
【００５４】
上記利用側回路（２０）は、圧縮式冷凍機（２）及び吸収式冷凍機（１０）で発生する冷熱又は温熱を、相変化する冷媒により利用側ユニットである室内ユニット（２２）へ搬送するためのものであって、特に、この実施形態１では、上記各冷凍機（２，１０）で発生した冷熱を搬送するように構成されている。
【００５５】
すなわち、利用側回路（２０）は、２次側の冷媒である非共沸混合冷媒が充填された２次側の冷媒回路であって、循環回路を構成している（以降、利用側回路（２０）の冷媒を単に２次側冷媒と呼ぶ）。利用側回路（２０）は、後述のポンプ（３０）と、室内膨張弁（ＥＶ）と、複数として例えば２台の室内ユニット（２２）とを備えている。
【００５６】
ポンプ（３０）は、利用側回路（２０）で２次側冷媒を強制循環させるためのものであり、吸入した液冷媒を吐出する冷媒液ポンプ（３０）に構成されている。室内ユニット（２２）は、２次側冷媒と室内空気との間で熱交換を行うための室内熱交換器（ＨＥＸ１）を備えている。そして、ポンプ（３０）と、室内膨張弁（ＥＶ）と、室内熱交換器（ＨＥＸ１）とは順に配管接続されている。
【００５７】
そして、本発明では、上記利用側回路（２０）には、上記圧縮式冷凍機（２）及び吸収式冷凍機（１０）の各冷熱発生器、又は圧縮式冷凍機（２）及び吸収式冷凍機（１０）の各温熱発生器がそれぞれ直接に接続されている。特に、この実施形態１では、利用側回路（２０）には、圧縮式冷凍機（２）の冷熱発生器である蒸発器（６）としての第１主熱交換器（ＨＥＸ５）と、吸収式冷凍機（１０）の冷熱発生器である蒸発器（１３）の第２主熱交換器（ＨＥＸ２）とが、それぞれ直接に接続されている。
【００５８】
具体的に、上記圧縮式冷凍機（２）の第１主熱交換器（ＨＥＸ５）の出口と冷媒液ポンプ（３０）の吸入口とは、第２配管（２６）により接続されている。また、冷媒ポンプ（３０）の吐出口と室内熱交換器（ＨＥＸ１）の入口とは、第１配管（２５）により接続されている。すなわち、第１配管（２５）の一端が冷媒液ポンプ（３０）に接続される一方、その他端が分岐されて各室内熱交換器（ＨＥＸ１）に接続されている。第１配管（２５）の分岐部分には、室内膨張弁（ＥＶ）がそれぞれ設けられている。
【００５９】
一方、室内熱交換器（ＨＥＸ１）の出口と第１主熱交換器（ＨＥＸ５）の入口とは、第３配管（２４）により接続されている。つまり、第３配管（２４）の一端は、分岐されて各室内熱交換器（ＨＥＸ１）に接続される一方、その他端が第１主熱交換器（ＨＥＸ５）に接続されている。こうして、第１主熱交換器（ＨＥＸ５）では、圧縮式冷凍機（２）の冷媒回路（２１）の１次側冷媒と、利用側回路（２０）の２次側冷媒との間で熱交換を行うようになっている。
【００６０】
さらに、上記吸収式冷凍機（１０）の第２主熱交換器（ＨＥＸ２）の出口には、第４配管（２７）の一端が接続され、その他端が上記第２配管（２６）に合流するように接続されている。一方、第２主熱交換器（ＨＥＸ２）の入口には、第５配管（２８）の一端が接続され、その他端が上記第３配管（２４）に分岐するように接続されている。そして、第２主熱交換器（ＨＥＸ２）では、吸収式冷凍機（１０）の冷媒回路（２３）の１次側冷媒と、利用側回路（２０）の２次側冷媒との間で熱交換を行うようになっている。
【００６１】
このように、利用側回路（２０）には、第１主熱交換器（ＨＥＸ５）と、第２主熱交換器（ＨＥＸ２）とが並列に接続されている。そして、冷媒液ポンプ（３０）を駆動させることにより、第１主熱交換器（ＨＥＸ５）で２次側冷媒に伝えられた圧縮式冷凍機（２）の冷熱を、第２配管（２６）及び第１配管（２５）を介して室内熱交換器（ＨＥＸ１）へ搬送すると共に、第２主熱交換器（ＨＥＸ２）で２次側冷媒に伝えられた吸収式冷凍機（１０）の冷熱を、第４配管（２７）及び第１配管（２５）を介して室内熱交換器（ＨＥＸ１）へ搬送するようにしている。
【００６２】
−冷凍システムの作動−
次に、本発明に係る冷凍システム（１）の作動について説明する。
【００６３】
圧縮式冷凍機（２）では、四路切換弁（７）により冷房運転を行うように冷媒通路が切り換えられ、圧縮機（３）が駆動することで、蒸気圧縮式冷凍サイクルが行われる。その結果、蒸発器（６）である第１主熱交換器（ＨＥＸ５）で冷熱が発生する。第１主熱交換器（ＨＥＸ５）では、冷媒回路（２１）の１次側冷媒と、利用側回路（２０）の２次側冷媒との間で熱交換が行われ、圧縮式冷凍機（２）で発生した冷熱が２次側冷媒に伝えられる。冷却されて凝縮した２次側冷媒は、第２配管（２６）を介して冷媒液ポンプ（３０）に吸い込まれる。
【００６４】
一方、吸収式冷凍機（１０）では、再生器（１１）において吸収溶液が加熱されて水蒸気が発生する。この水蒸気は、凝縮器（１２）へ送られる。そして、この水蒸気は、凝縮器（１２）において、冷却ファン（図示省略）により供給される空気流により冷却されて凝縮する。凝縮器（１２）で凝縮した水は、蒸発器（１３）の第２主熱交換器（ＨＥＸ２）へ送られる。この第２主熱交換器（ＨＥＸ２）では、１次側の冷媒である凝縮した水と、利用側回路（２０）の２次側冷媒との間で熱交換が行われる。その結果、１次側冷媒である水は２次側冷媒から吸熱して蒸発する一方、２次側冷媒は冷媒により冷却されて凝縮する。
【００６５】
上記蒸発器（１３）で蒸発した水蒸気は、吸収器（１４）へ送られる。吸収器（１４）では、水蒸気が吸収溶液に吸収される。このとき、発生する吸収熱は、冷却ファン（図示省略）により供給される空気流により外部へ排出される。そして、吸収器（１４）で吸収されて薄くなった吸収溶液は、再び再生器（１１）へ送られる。そして、上記第２主熱交換器（ＨＥＸ２）で冷却された２次側冷媒は、第４配管（２７）を介して冷媒液ポンプ（３０）に吸い込まれる。
【００６６】
こうして、第１主熱交換器（ＨＥＸ５）及び第２主熱交換器（ＨＥＸ２）により冷却された後に冷媒液ポンプ（３０）に吸い込まれた２次側冷媒は、第１配管（２５）に吐出される。
【００６７】
第１配管（２５）を流通する液冷媒は、各室内膨張弁（ＥＶ）を通過して減圧され、その後、各室内ユニット（２２）の室内熱交換器（ＨＥＸ１）へそれぞれ送られる。室内熱交換器（ＨＥＸ１）では、減圧された２次側冷媒と、室内空気との間で熱交換が行われる。その結果、２次側冷媒は蒸発する一方、室内空気は冷却される。
【００６８】
各室内熱交換器（ＨＥＸ１）で吸熱して蒸発した２次側冷媒は、第３配管（２４）を通って再び第１主熱交換器（ＨＥＸ５）へ送られると共に、第３配管（２４）及び第５配管（２８）を通って再び第２主熱交換器（ＨＥＸ２）へ送られる。このようにして、冷房運転時には、圧縮式冷凍機（２）及び吸収式冷凍機（１０）で発生した冷熱は、利用側回路（２０）により室内ユニット（２２）へ搬送されて室内の冷房が行われる。
【００６９】
−実施形態１の効果−
以上説明したように、この実施形態１によると、圧縮式冷凍機（２）の蒸発器（６）である第１主熱交換器（ＨＥＸ５）で発生した冷熱は、該第１主熱交換器（ＨＥＸ５）において利用側回路（２０）の冷媒に直接に伝えられる。一方、吸収式冷凍機（１０）の蒸発器（１３）の第２主熱交換器（ＨＥＸ２）で発生した冷熱は、該第２主熱交換器（ＨＥＸ２）において利用側回路（２０）の冷媒に直接に伝えられる。すなわち、圧縮式冷凍機（２）及び吸収式冷凍機（１０）で発生した冷熱は、各熱交換器（ＨＥＸ５，ＨＥＸ２）において１回の熱交換により利用側回路（２０）の冷媒へ伝えられるため、熱交換の回数を減らして熱損失を低減し、該利用側回路（２０）の冷媒を効率よく冷却することができる。
【００７０】
また、冷媒液ポンプ（３０）という簡単な構成により、２次側冷媒を利用側回路（２０）で循環させることができる。そして、圧縮式冷凍機（２）及び吸収式冷凍機（１０）により冷却した冷媒を、利用側回路（２０）を介して複数の室内ユニット（２２）へ搬送することができる。
【００７１】
尚、この実施形態１では、利用側ユニットとして、室内ユニット（２２）を設けて室内の冷房を行うようにしたが、その他に、利用側ユニットとして、冷蔵ユニットや冷凍ユニットを設けて被冷却物の冷蔵や冷凍を行うようにしてもよい。
【００７２】
また、上記第１主熱交換器（ＨＥＸ５）と、第２主熱交換器（ＨＥＸ２）とを、室内熱交換器（ＨＥＸ１）よりも上方に配置させることで、上記冷媒液ポンプ（３０）を設けずに、２次側冷媒を利用側回路（２０）で自然循環させるようにしてもよい。
【００７３】
（実施形態２）
図２は、本発明に係る冷凍システムの実施形態２を示している。尚、以下の各実施形態では、図１と同じ部分については同じ符号を付してその詳細な説明は省略する。
【００７４】
上記実施形態１は、冷房運転を行うものであるのに対し、この実施形態２は、暖房運転を行うようにしたものである。この冷凍システム（１）は、圧縮式冷凍機（２）、吸収式冷凍機（１０）及び利用側回路（２０）に加えて、第２の吸収式冷凍機である吸収ヒートポンプ（９０）を備えている。
【００７５】
上記吸収ヒートポンプ（９０）は、再生器（９１）と、凝縮器（９２）と、蒸発器（９３）と、吸収器（９４）とを備えている。そして、再生器（９１）に、燃料ガスの燃焼ガス等が供給されることで駆動し、凝縮器（９２）及び吸収器（９４）で温熱を発生するように構成されている。すなわち、吸収ヒートポンプ（９０）の凝縮器（９２）及び吸収器（９４）の少なくとも一方は、該吸収ヒートポンプ（９０）の温熱発生器を構成している。
【００７６】
凝縮器（９２）は、該凝縮器（９２）で凝縮した液冷媒と、利用側回路（２０）の２次側冷媒との間で熱交換するための凝縮熱交換器（ＨＥＸ８）を備えている。また、吸収器（９４）は、該吸収器（９４）の吸収溶液と、利用側回路（２０）の２次側冷媒との間で熱交換するための吸収熱交換器（ＨＥＸ９）を備えている。
【００７７】
上記吸収式冷凍機（１０）は、再生器（１１）と、凝縮器（１２）と、吸収器（１４）と、暖房用加熱器（９）とを備えている。暖房用加熱器（９）は、第２主熱交換器（ＨＥＸ２）を備えている。そして、吸収式冷凍機（１０）は、加熱により再生器（１１）で発生した冷媒蒸気を暖房用加熱器（９）へ送り、該暖房用加熱器（９）の第２主熱交換器（ＨＥＸ２）で利用側回路（２０）の冷媒に放熱するように構成されている。第２主熱交換器（ＨＥＸ２）で放熱して凝縮した冷媒は、吸収溶液と共に吸収器（１４）及び再生器（１１）へ送られるようになっている。すなわち、第２主熱交換器（ＨＥＸ２）は、吸収式冷凍機（１０）の温熱発生器を構成している。そして、この第２主熱交換器（ＨＥＸ２）は、吸収式冷凍機（１０）の冷媒の凝縮熱によって利用側回路（２０）の２次側冷媒を加熱する熱交換器に構成されている。
【００７８】
上記圧縮式冷凍機（２）は、四路切換弁（７）により冷媒通路が切り換えられることで、利用側熱交換器である第１主熱交換器（ＨＥＸ５）が凝縮器となっている。つまり、第１主熱交換器（ＨＥＸ５）は、圧縮式冷凍機（２）の温熱発生器を構成している。
【００７９】
上記第１主熱交換器（ＨＥＸ５）の出口には、第２配管（２６）の一端が接続される一方、その他端は２つに分岐して室内ユニット（２２）の各室内熱交換器（ＨＥＸ１）に接続されている。この第２配管（２６）の各分岐部分には、室内膨張弁（ＥＶ）がそれぞれ設けられている。
【００８０】
上記第２主熱交換器（ＨＥＸ２）の出口には、第４配管（２７）の一端が接続され、その他端が上記第２配管（２６）に合流するように接続されている。また、上記凝縮熱交換器（ＨＥＸ８）の出口には、第６配管（９６）の一端が接続される一方、その他端が上記第２配管（２６）に合流するように接続されている。
【００８１】
一方、第１主熱交換器（ＨＥＸ５）の入口には、第３配管（２４）の一端が接続される一方、その他端が２つに分岐して各室内熱交換器（ＨＥＸ１）に接続されている。この第３配管（２４）には、冷媒液ポンプ（３０）が設けられている。また、第２主熱交換器（ＨＥＸ２）の入口には、第５配管（２８）の一端が接続される一方、その他端が上記第３配管（２４）に分岐するように接続されている。
【００８２】
そして、第３配管（２４）における冷媒液ポンプ（３０）の出口側には、第９配管（９９）の一端が接続されている。第９配管（９９）の他端は、第２配管（２６）に合流するように接続されている。
【００８３】
また、吸収熱交換器（ＨＥＸ９）の入口には、第８配管（９８）の一端が接続される一方、その他端は、第３配管（２４）に分岐するように接続されている。さらに、上記凝縮熱交換器（ＨＥＸ８）の入口と、吸収熱交換器（ＨＥＸ９）の出口とは、第７配管（９７）により接続されている。第７配管（９７）には、三路弁（１００）が設けられている。三路弁（１００）の他の１つのポートには、連絡管（１０１）の一端が接続されており、連絡管（１０１）の他端は、上記第９配管（９９）に合流するように接続されている。
【００８４】
上記第８配管（９８）には、第１開閉弁（ＳＶ１）が設けられている。第９配管（９９）における連絡管（１０１）との合流部と、第３配管（２４）との合流部との間には、第２開閉弁（ＳＶ２）が設けられている。また、第９配管（９９）における連絡管（１０１）との合流部と、第２配管（２６）との合流部との間には、第３開閉弁（ＳＶ３）が設けられている。
【００８５】
そして、上記三路弁（１００）は、吸収熱交換器（ＨＥＸ９）と凝縮熱交換器（ＨＥＸ８）とが連通する状態と、吸収熱交換器（ＨＥＸ９）と第３開閉弁（ＳＶ３）とが連通する状態と、第２開閉弁（ＳＶ２）と凝縮熱交換器（ＨＥＸ８）とが連通する状態との何れか１つに冷媒通路を切り換えるように構成されている。
【００８６】
−冷凍システムの作動−
次に、この実施形態２の冷凍システム（１）の作動について説明する。
【００８７】
圧縮式冷凍機（２）では、圧縮機（３）が駆動することで凝縮器である第１主熱交換器（ＨＥＸ５）で温熱が発生し、該第１主熱交換器（ＨＥＸ５）において、圧縮式冷凍機（２）の冷媒と、利用側回路（２０）の２次側冷媒との間で熱交換が行われ、該２次側冷媒が加熱される。第１主熱交換器（ＨＥＸ５）で加熱された２次側冷媒は、液冷媒ポンプ（３０）の駆動により第２配管（２６）を流れ、室内ユニット（２２）へ送られる。
【００８８】
吸収式冷凍機（１０）では、再生器（１１）で加熱されて発生した冷媒蒸気が暖房用加熱器（９）の第２主熱交換器（ＨＥＸ２）へ送られる。そして、第２主熱交換器（ＨＥＸ２）において、吸収式冷凍機（１０）の冷媒蒸気と、利用側回路（２０）の２次側冷媒との間で熱交換が行われ、該２次側冷媒が加熱される。第２主熱交換器（ＨＥＸ２）で加熱された２次側冷媒は、液冷媒ポンプ（３０）の駆動により、第４配管（２７）及び第２配管（２６）を流れ、室内ユニット（２２）へ送られる。
【００８９】
吸収ヒートポンプ（９０）では、再生器（９１）で発生した冷媒が、凝縮器（９２）の凝縮熱交換器（ＨＥＸ８）で凝縮し、温熱が発生する。凝縮した冷媒は、蒸発器（９３）で蒸発し、吸収器（９４）へ送られる。吸収器（９４）では、冷媒ガスが吸収溶液に吸収されることで、温熱が発生する。吸収溶液に吸収された冷媒は、再び再生器（９１）へ戻る。
【００９０】
ここで、上記凝縮器（９２）及び吸収器（９４）の少なくとも一方の温熱で、利用側回路（２０）の２次側冷媒を加熱するように、冷媒通路を切り換える。
【００９１】
まず、凝縮器（９２）及び吸収器（９４）の双方の温熱により２次側冷媒を加熱する場合には、第１開閉弁（ＳＶ１）を開放し、第２開閉弁（ＳＶ２）及び第３開閉弁（ＳＶ３）を閉鎖し、三路弁（１００）を、吸収熱交換器（ＨＥＸ９）と凝縮熱交換器（ＨＥＸ８）とが連通するように冷媒通路を切り換える。
【００９２】
こうすることで、第８配管（９８）を流れる２次側冷媒が第１開閉弁（ＳＶ１）を介して吸収熱交換器（ＨＥＸ９）を流通する。吸収熱交換器（ＨＥＸ９）において、吸収溶液と２次側冷媒との間で熱交換が行われ、該２次側冷媒が加熱される。加熱された２次側冷媒は、第７配管（９７）及び三路弁（１００）を通って、凝縮熱交換器（ＨＥＸ８）へ送られる。そして、凝縮熱交換器（ＨＥＸ８）において、１次側の冷媒と２次側冷媒との間で熱交換が行われ、該２次側冷媒がさらに加熱される。凝縮熱交換器（ＨＥＸ８）で加熱された２次側冷媒は、第６配管（９６）及び第２配管（２６）を流れて、室内ユニット（２２）へ送られる。
【００９３】
次に、吸収器（９４）の温熱のみにより、２次側冷媒を加熱する場合には、第１開閉弁（ＳＶ１）及び第３開閉弁（ＳＶ３）を開放し、第２開閉弁（ＳＶ２）を閉鎖し、三路弁（１００）を、吸収熱交換器（ＨＥＸ９）と第３開閉弁（ＳＶ３）とが連通するように冷媒通路を切り換える。
【００９４】
こうすることにより、第８配管（９８）を流れる２次側冷媒が第１開閉弁（ＳＶ１）を介して吸収熱交換器（ＨＥＸ９）を流通し、該吸収熱交換器（ＨＥＸ９）において２次側冷媒が加熱される。加熱された２次側冷媒は、第７配管（９７）、三路弁（１００）、連絡管（１０１）、第９配管（９９）及び第３開閉弁（ＳＶ３）を通って、第２配管（２６）を流れ、室内ユニット（２２）へ送られる。
【００９５】
次に、凝縮器（９２）の温熱のみにより、２次側冷媒を加熱する場合には、第２開閉弁（ＳＶ２）を開放し、第１開閉弁（ＳＶ１）及びを第３開閉弁（ＳＶ３）閉鎖し、三路弁（１００）を、第２開閉弁（ＳＶ２）と凝縮熱交換器（ＨＥＸ８）とが連通するように冷媒通路を切り換える。
【００９６】
こうすることで、第２開閉弁（ＳＶ２）及び第９配管（９９）を流れる２次側冷媒は、連絡管（１０１）、三路弁（１００）及び第７配管（９７）を通って凝縮熱交換器（ＨＥＸ８）を流通し、該凝縮熱交換器（ＨＥＸ８）において２次側冷媒が加熱される。加熱された２次側冷媒は、第６配管（９６）及び第２配管（２６）を流れて、室内ユニット（２２）へ送られる。
【００９７】
こうして、凝縮器（９２）及び吸収器（９４）の少なくとも一方により加熱された２次側冷媒は、室内ユニット（２２）の各室内熱交換器（ＨＥＸ１）において、室内空気との間で熱交換を行い、室内の暖房が行われる。
【００９８】
各室内熱交換器（ＨＥＸ１）で凝縮した２次側冷媒は、第１配管（２５）を流れて液冷媒ポンプ（３０）に吸い込まれる。その後、冷媒液ポンプ（３０）から吐出された２次側冷媒は、第３配管（２４）を流通し、第８配管（９８）又は第９配管（９９）へ分流して吸収ヒートポンプ（９０）の凝縮器（９２）及び吸収器（９４）の少なくとも一方へ送られると共に、第５配管（２８）へ分流して吸収式冷凍機（１０）の暖房用加熱器（９）へ送られ、さらに、第３配管（２４）をそのまま流れて圧縮式冷凍機（２）へ送られる。このようにして、２次側冷媒は、利用側回路（２０）を循環する。
【００９９】
−実施形態２の効果−
以上説明したように、この実施形態２によると、圧縮式冷凍機（２）の第１主熱交換器（ＨＥＸ５）と、吸収式冷凍機（１０）の第２主熱交換器（ＨＥＸ２）と、吸収ヒートポンプ（９０）の凝縮熱交換器（ＨＥＸ８）及び吸収熱交換器（ＨＥＸ９）の少なくとも一方とのそれぞれにおいて、利用側回路（２０）の２次側冷媒を、各冷凍機（２，１０，９０）の熱媒体との間で直接に熱交換することで、効率よく加熱することができる。
【０１００】
（実施形態３）
図３は、本発明に係る冷凍システムの実施形態３を示している。この実施形態３の冷凍システム（１）は、室内の冷房と暖房とを切り換えて行うように構成されている。
【０１０１】
すなわち、冷凍システム（１）は、上記実施形態２と同様に、利用側回路（２０）に直接に接続された圧縮式冷凍機（２）と、吸収式冷凍機（１０）と、吸収ヒートポンプ（９０）と、利用側回路（２０）とを備えている。そして、この実施形態３では、第１主種熱交換器（ＨＥＸ５）は、圧縮式冷凍機（２）の蒸発器（６）に構成される一方、第２主種熱交換器（ＨＥＸ２）は、吸収式冷凍機（１０）の蒸発器（１３）に設けられている。また、上記吸収ヒートポンプ（９０）、圧縮式冷凍機（２）及び吸収式冷凍機（１０）は、それぞれ室内ユニット（２２）よりも高い位置に配設されている。
【０１０２】
吸収ヒートポンプ（９０）の凝縮熱交換器（ＨＥＸ８）と、第２配管（２６）とを接続する第６配管（９６）には、第４開閉弁（ＳＶ４）が設けられている。そして、一端が第３配管（２４）に分岐接続された第９配管（９９）の他端は、上記第６配管（９６）における凝縮熱交換器（ＨＥＸ８）と第４開閉弁（ＳＶ４）との間に合流するように接続されている。
【０１０３】
上記吸収ヒートポンプ（９０）の蒸発器（９３）には、蒸発熱交換器（ＨＥＸ６）が設けられている。該蒸発熱交換器（ＨＥＸ６）の出口には、第１０配管（１０３）の一端が接続される一方、その他端が第２配管（２６）に合流するように接続されている。一方、蒸発熱交換器（ＨＥＸ６）の入口には、第１１配管（１０４）の一端が接続される一方、その他端が第３配管（２４）に分岐するように接続されている。
【０１０４】
第２配管（２６）には、第５開閉弁（ＳＶ５）が設けられている。第５開閉弁（ＳＶ５）は、第２配管（２６）と第１０配管（１０３）との合流部と、第２配管（２６）と第６配管（９６）との合流部との間に配設されている。
【０１０５】
こうして、利用側回路（２０）には、圧縮式冷凍機（２）の冷熱発生器である第１主熱交換器（ＨＥＸ５）と、吸収式冷凍機（１０）の冷熱発生器である第２主熱交換器（ＨＥＸ２）と、吸収ヒートポンプ（９０）の冷熱発生器である蒸発熱交換器（ＨＥＸ６）と、該吸収ヒートポンプ（９０）の温熱発生器である凝縮熱交換器（ＨＥＸ８）及び吸収熱交換器（ＨＥＸ９）とがそれぞれ直接に接続されている。
【０１０６】
そして、上記第４開閉弁（ＳＶ４）と第５開閉弁（ＳＶ５）とは、冷房時に冷媒が上記各冷熱発生器（ＨＥＸ５，ＨＥＸ２，ＨＥＸ６）に流れ、暖房時に冷媒が上記各温熱発生器（ＨＥＸ８，ＨＥＸ９）に流れるように冷媒通路を切り換える切換機構を構成している。つまり、冷房時には、第４開閉弁（ＳＶ４）が閉鎖されると共に第５開閉弁（ＳＶ５）が開放され、暖房時には、第４開閉弁（ＳＶ４）が開放されると共に第５開閉弁（ＳＶ５）が閉鎖されるようになっている。
【０１０７】
−冷凍システムの作動−
次に、この実施形態３の冷凍システム（１）の作動について説明する。まず、冷房運転時には、第４開閉弁（ＳＶ４）が閉鎖されると共に第５開閉弁（ＳＶ５）が開放される。
【０１０８】
このとき、第１主熱交換器（ＨＥＸ５）で１次側冷媒との間で熱交換して冷却された２次側冷媒は、第２配管（２６）を流れる。第２主熱交換器（ＨＥＸ２）で１次側冷媒との間で熱交換して冷却された２次側冷媒は、第４配管（２７）及び第２配管（２６）を流通する。また、蒸発熱交換器（ＨＥＸ６）で１次側冷媒との間で熱交換して冷却された２次側冷媒は、第１０配管（１０３）及び第２配管（２６）を流れる。
【０１０９】
第２配管（２６）の２次側の液冷媒は、重力によって、各冷凍機（２，１０，９０）よりも下方に位置している室内ユニット（２２）へ流れる。室内ユニット（２２）へ流れてきた２次側冷媒は、室内熱交換器（ＨＥＸ１）で室内空気と熱交換して室内空気を冷却する。室内熱交換器（ＨＥＸ１）で吸熱して蒸発した２次側冷媒は、第１配管（２５）及び第３配管（２４）を上昇し、第１１配管（１０４）へ分岐して蒸発熱交換器（ＨＥＸ６）へ流れると共に、第５配管（２８）へ分岐して第２主熱交換器（ＨＥＸ２）へ流れ、さらに、第３配管（２４）をそのまま流れて第１主熱交換器（ＨＥＸ５）へ流れる。このようにして、２次側冷媒は、冷房運転時に、利用側回路（２０）で自然循環する。
【０１１０】
次に、暖房運転時には、第４開閉弁（ＳＶ４）が開放されると共に第５開閉弁（ＳＶ５）が閉鎖される。また、圧縮式冷凍機（２）及び吸収式冷凍機（１０）は、それぞれ駆動を停止し、吸収ヒートポンプ（９０）のみ駆動する。
【０１１１】
このとき、図３に破線で示すように、利用側回路（２０）の２次側冷媒は、吸収ヒートポンプ（９０）の凝縮器（９２）及び吸収器（９４）の少なくとも一方の温熱を、室内ユニット（２２）へ搬送する。尚、第１開閉弁（ＳＶ１）、第２開閉弁（ＳＶ２）及び第３開閉弁（ＳＶ３）の開閉作動については、上記実施形態２と同じであるため、その説明は省略する。
【０１１２】
すなわち、２次側冷媒は、凝縮熱交換器（ＨＥＸ８）及び吸収熱交換器（ＨＥＸ９）の少なくとも一方において、吸収ヒートポンプ（９０）の１次側冷媒や吸収溶液との間で熱交換して加熱される。加熱された２次側冷媒は、冷媒液ポンプ（３０）のくどうによって、第６配管（９６）及び第４開閉弁（ＳＶ４）を通って、各室内熱交換器（ＨＥＸ１）へ流れる。室内熱交換器（ＨＥＸ１）では、２次側冷媒と室内空気との間で熱交換が行われ、該室内空気が加熱される。室内熱交換器（ＨＥＸ１）で放熱して凝縮した２次側の液冷媒は、第１配管（２５）を介して冷媒液ポンプ（３０）に吸い込まれ、第３配管（２４）へ吐出される。第３配管（２４）へ吐出された２次側冷媒は、第３配管（２４）と、第８配管（９８）又は第９配管（９９）を通って、凝縮熱交換器（ＨＥＸ８）及び吸収熱交換器（ＨＥＸ９）の少なくとも一方へ再び戻る。このようにして、２次側冷媒は、暖房運転時に、冷媒液ポンプ（３０）により利用側回路（２０）で強制循環する。
【０１１３】
−実施形態３の効果−
以上説明したように、この実施形態３によると、切換機構である第４開閉弁（ＳＶ４）及び第５開閉弁（ＳＶ５）により冷媒通路の切り換えることによって、室内の冷房と暖房とをそれぞれ行うことができる。
【０１１４】
そして、冷房運転時には、各冷凍機（２，１０，９０）の熱交換器（ＨＥＸ５，ＨＥＸ２，ＨＥＸ６）において、該各冷凍機（２，１０，９０）の１次側の冷媒と、利用側回路（２０）の２次側の冷媒との間で直接に熱交換して該２次側冷媒を効率よく冷却することができる。さらに、暖房運転時には、吸収ヒートポンプ（９０）の凝縮熱交換器（ＨＥＸ８）及び吸収熱交換器（ＨＥＸ９）の少なくとも一方において、該吸収ヒートポンプ（９０）の１次側の冷媒や吸収溶液と、利用側回路（２０）の２次側冷媒との間で直接に熱交換して該２次側冷媒を効率よく加熱することができる。
【０１１５】
（実施形態４）
図４は、本発明に係る冷凍システムの実施形態４を示している。この実施形態４の冷凍システム（１）も、室内の冷房と暖房とを切り換えて行うように構成されている。
【０１１６】
この実施形態４の冷凍システム（１）は、上記実施形態２において、吸収ヒートポンプ（９０）の蒸発器（９３）を利用側回路（２０）に直接に接続すると共に、冷房運転と暖房運転とを切り換えるための切換機構（ＳＶ４，ＳＶ５）を設けるようにしたものである。
【０１１７】
具体的に、上記蒸発器（９３）は、蒸発熱交換器（ＨＥＸ６）を備えている。蒸発熱交換器（ＨＥＸ６）の入口には、第１１配管（１０４）の一端が接続され、その他端が第３配管（２４）に分岐するように接続されている。一方、蒸発熱交換器（ＨＥＸ６）の出口には、第１０配管（１０３）の一端が接続され、その他端が第２配管（２６）に合流するように接続されている。第１０配管（１０３）と第２配管（２６）との合流部は、第２配管（２６）と第９配管（９９）と、第２配管（２６）の分岐部との間に配置されている。
【０１１８】
上記第１０配管（１０３）には、第４開閉弁（ＳＶ４）が配設されている。また、第２配管（２６）には第５開閉弁（ＳＶ５）が設けられている。第５開閉弁（ＳＶ５）は、第２配管（２６）と第１０配管（１０３）との合流部と、第２配管（２６）と第９配管（９９）との合流部との間に配置されている。そして、この第４開閉弁（ＳＶ４）及び第５開閉弁（ＳＶ５）が上記切換機構を構成している。
【０１１９】
すなわち、上記実施形態３にも示したように、利用側回路（２０）には、圧縮式冷凍機（２）の冷熱発生器又は温熱発生器と、吸収式冷凍機（１０）の冷熱発生器又は温熱発生器と、吸収ヒートポンプ（９０）の冷熱発生器及び温熱発生器とがそれぞれ直接に接続されている。そして、切換機構（ＳＶ４，ＳＶ５）は、冷房時に冷媒が上記各冷熱発生器に流れ、暖房時に冷媒が上記各温熱発生器に流れるように冷媒通路を切り換えるように構成されている。
【０１２０】
−冷凍システムの作動−
次に、この実施形態４の冷凍システム（１）の作動について説明する。まず、冷房運転時には、第４開閉弁（ＳＶ４）が開放されると共に第５開閉弁（ＳＶ５）が閉鎖される。また、圧縮式冷凍機（２）及び吸収式冷凍機（１０）は、それぞれ駆動を停止し、吸収ヒートポンプ（９０）のみ駆動する。
【０１２１】
このとき、図４に破線で示すように、利用側回路（２０）の２次側冷媒は、吸収ヒートポンプ（９０）の蒸発器（９３）で発生した冷熱を、室内ユニット（２２）へ搬送する。
【０１２２】
すなわち、蒸発器（９３）の蒸発熱交換器（ＨＥＸ６）では、吸収ヒートポンプ（９０）の１次側の冷媒と、利用側回路（２０）の２次側冷媒との間で熱交換が行われ、該２次側冷媒は冷却される。冷却された２次側の液冷媒は、第１０配管（１０３）及び第４開閉弁（ＳＶ４）を通って、第２配管（２６）を流通する。第２配管（２６）を流通する２次側の液冷媒は、重力によって、吸収ヒートポンプ（９０）よりも下方に位置している室内ユニット（２２）へ流れる。室内ユニット（２２）へ流れてきた２次側冷媒は、室内熱交換器（ＨＥＸ１）で室内空気と熱交換して室内空気を冷却する。室内熱交換器（ＨＥＸ１）で吸熱して蒸発した２次側冷媒は、第１配管（２５）及び第３配管（２４）を上昇し、第１１配管（１０４）を通って、上記蒸発熱交換器（ＨＥＸ６）へ再び戻る。
【０１２３】
一方、暖房運転時には、第４開閉弁（ＳＶ４）が閉鎖されると共に第５開閉弁（ＳＶ５）が開放される。そのときの暖房運転は、上記実施形態２と同様であるため、その説明は省略する。
【０１２４】
−実施形態４の効果−
以上説明したように、この実施形態４によっても、上記実施形態３と同様に、切換機構である第４開閉弁（ＳＶ４）及び第５開閉弁（ＳＶ５）を切り換えることによって、室内の冷房と暖房とをそれぞれ行うことができる。さらに、各冷凍機（２，１０，９０）の１次側の冷媒や吸収溶液と、利用側回路（２０）の２次側冷媒との間で直接に熱交換させることで、室内の冷房や暖房をそれぞれ効率よく行うことができる。
【０１２５】
（実施形態５）
図５は、本発明に係る冷凍システムの実施形態５を示している。この実施形態５の冷凍システム（１）では、圧縮式冷凍機（２）及び吸収式冷凍機（１０）の各冷熱発生器は、利用側回路（２０）に直列に設けられている。
【０１２６】
上記吸収式冷凍機（１０）の冷媒は、上記各実施形態と同様に水である。そして、該吸収式冷凍機（１０）の冷熱発生器は、蒸発器（１３）により構成され、該蒸発器（１３）には、第２主熱交換器（ＨＥＸ２）が設けられている。また、圧縮式冷凍機（２）の冷熱発生器である蒸発器（６）は、第１主熱交換器（ＨＥＸ５）により構成されている。
【０１２７】
第１主熱交換器（ＨＥＸ５）の出口と冷媒液ポンプ（３０）の吸入口とは、第２配管（２６）により接続されている。また、第１配管（２５）の一端が冷媒液ポンプ（３０）の吐出口に接続される一方、その他端が分岐されて各室内熱交換器（ＨＥＸ１）の入口に接続されている。第１配管（２５）の分岐部分には、室内膨張弁（ＥＶ）がそれぞれ設けられている。
【０１２８】
一方、第３配管（２４）の一端が分岐して各室内熱交換器（ＨＥＸ１）の出口に接続される一方、その他端が第２主熱交換器（ＨＥＸ２）の入口に接続されている。第２主熱交換器（ＨＥＸ２）の出口と、第１主熱交換器（ＨＥＸ５）の入口とは、第１２配管（１０５）により接続されている。
【０１２９】
このようにして、圧縮式冷凍機（２）の第１主熱交換器（ＨＥＸ５）には、吸収式冷凍機（１０）の第２主熱交換器（ＨＥＸ２）を通過した利用側回路（２０）の２次側冷媒が流れるようになっている。
【０１３０】
−冷凍システムの作動−
次に、この実施形態５の冷凍システム（１）の作動について説明する。
【０１３１】
まず、吸収式冷凍機（１０）の第２主熱交換器（ＨＥＸ２）では、吸収式冷凍機（１０）の１次側の冷媒と、利用側回路（２０）の２次側冷媒との間で熱交換が行われ、該２次側冷媒は冷却される。このとき、吸収式冷凍機（１０）の冷媒が水であるため、その蒸発温度は、０℃を下回れない。そこで、利用側回路（２０）の２次側冷媒は、まず、吸収式冷凍機（１０）の第２主熱交換器（ＨＥＸ２）で０℃以上の所定温度に冷却される。
【０１３２】
その後、第２主熱交換器（ＨＥＸ２）で冷却された２次側冷媒は、冷媒液ポンプ（３０）の駆動によって、第１２配管（１０５）を通り、第１主熱交換器（ＨＥＸ５）へ流れる。該第１主熱交換器（ＨＥＸ５）において、上記２次側冷媒は、さらに低温に冷却される。
【０１３３】
第１主熱交換器（ＨＥＸ５）で冷却された２次側冷媒は、第２配管（２６）を介して冷媒液ポンプ（３０）に吸い込まれる。吸い込まれた２次側冷媒は、第１配管（２５）に吐出され、膨張弁（ＥＶ）で減圧されて室内ユニット（２２）へ送られる。そして、２次側冷媒は、室内熱交換器（ＨＥＸ１）で室内空気との間で熱交換して、室内空気を冷却する。室内熱交換器（ＨＥＸ１）で吸熱して蒸発した２次側冷媒は、第３配管（２４）を介して第２主熱交換器（ＨＥＸ２）へ再び送られる。こうして、２次側冷媒は、冷媒液ポンプ（３０）の駆動により利用側回路（２０）で循環する。
【０１３４】
−実施形態５の効果−
したがって、この実施形態５によると、圧縮式冷凍機（２）の第１主熱交換器（ＨＥＸ５）と、吸収式冷凍機（１０）の第２主熱交換器（ＨＥＸ２）とを、利用側回路（２０）に直列に設けるようにしたので、該利用側回路（２０）の冷媒を各熱交換器（ＨＥＸ５，ＨＥＸ２）へ分配させるための機構が不要となるため、利用側回路（２０）の構成を簡単なものとすることができる。
【０１３５】
さらに、吸収式冷凍機（１０）の冷媒が水である場合に、利用側回路（２０）の冷媒を、まず、吸収式冷凍機（１０）の第２主熱交換器（ＨＥＸ２）において冷却し、その後に、圧縮式冷凍機（２）の第１主熱交換器（ＨＥＸ５）においてさらに低温に冷却することで、利用側回路（２０）の冷媒を効率よく冷却することができる。
【０１３６】
（実施形態６）
図６は、本発明に係る冷凍システムの実施形態６を示している。この実施形態６の冷凍システム（１）は、上記実施形態５と同様に、圧縮式冷凍機（２）と吸収式冷凍機（１０）とは利用側回路（２０）に直列に設けられているが、その配置が利用側回路（２０）の冷媒流れ方向に入れ替わっている。
【０１３７】
すなわち、第２主熱交換器（ＨＥＸ２）の出口と冷媒液ポンプ（３０）の吸入口とは、第２配管（２６）により接続されている。また、冷媒液ポンプ（３０）と各室内熱交換器（ＨＥＸ１）とは、第１配管（２５）により接続されている。一方、第３配管（２４）の一端が分岐して各室内熱交換器（ＨＥＸ１）の出口に接続される一方、その他端が第１主熱交換器（ＨＥＸ５）の入口に接続されている。第１主熱交換器（ＨＥＸ５）の出口と、第２主熱交換器（ＨＥＸ２）の入口とは、第１２配管（１０５）により接続されている。
【０１３８】
このようにして、吸収式冷凍機（１０）の第２主熱交換器（ＨＥＸ２）には、圧縮式冷凍機（２）の第１主熱交換器（ＨＥＸ５）を通過した利用側回路（２０）の２次側冷媒が流れるようになっている。そして、上記吸収式冷凍機（１０）の冷媒は、蒸発温度が０℃以下である例えばアンモニアである。また、吸収剤には水が適用されている。
【０１３９】
−冷凍システムの作動−
次に、この実施形態６の冷凍システム（１）の作動について説明する。
【０１４０】
まず、圧縮式冷凍機（２）の第１主熱交換器（ＨＥＸ５）において、該圧縮式冷凍機（２）の冷媒と、利用側回路（２０）の２次側冷媒との間で熱交換が行われ、該２次側冷媒は予め冷却される。冷却された２次側冷媒は、冷媒液ポンプ（３０）の駆動によって、第１２配管（１０５）を通り、吸収式冷凍機（１０）の第２主熱交換器（ＨＥＸ２）へ送られる。
【０１４１】
ところで、吸収式冷凍機（１０）では、吸収式冷凍サイクルが行われており、凝縮器（１２）で凝縮したアンモニアが蒸発器（１３）に供給されて蒸発する。そして、上記第２主熱交換器（ＨＥＸ２）では、１次側冷媒であるアンモニアと、利用側回路（２０）の２次側冷媒との間で熱交換が行われ、該２次側冷媒は冷却される。
【０１４２】
第２主熱交換器（ＨＥＸ２）でさらに低温に冷却された２次側冷媒は、第２配管（２６）を介して冷媒液ポンプ（３０）に吸い込まれる。吸い込まれた２次側冷媒は、第１配管（２５）に吐出され、膨張弁（ＥＶ）を介して室内ユニット（２２）へ送られる。そして、２次側冷媒は、室内熱交換器（ＨＥＸ１）で室内空気との間で熱交換して、室内空気を冷却する。室内熱交換器（ＨＥＸ１）で吸熱して蒸発した２次側冷媒は、第３配管（２４）を介して第１主熱交換器（ＨＥＸ５）へ再び送られる。こうして、２次側冷媒は、冷媒液ポンプ（３０）の駆動により利用側回路（２０）で循環する。
【０１４３】
−実施形態６の効果−
したがって、この実施形態６によると、吸収式冷凍機（１０）の冷媒の蒸発温度が０℃以下であって比較低温であるため、利用側回路（２０）の冷媒は、まず、圧縮式冷凍機（２）の第１主熱交換器（ＨＥＸ５）で予め冷却し、その後に、吸収式冷凍機（１０）の第２主熱交換器（ＨＥＸ２）でさらに低温に冷却することができる。そして、このとき、圧縮式冷凍機（２）の冷媒の蒸発圧力が比較的大きくなるため、システム全体の効率を向上させることができる。
【０１４４】
（実施形態７）
図７は、本発明に係る冷凍システムの実施形態７を示している。この実施形態７の冷凍システム（１）は、上記実施形態６と同様に、圧縮式冷凍機（２）と吸収式冷凍機（１０）とは利用側回路（２０）に直列に設けられている。そして、この冷凍システム（１）は、室内の暖房を行うように構成されている。
【０１４５】
上記吸収式冷凍機（１０）は、上記実施形態２と同様に、温熱発生器である暖房用加熱器（９）を備えている。暖房用加熱器（９）には、第２主熱交換器（ＨＥＸ２）が設けられている。一方、上記圧縮式冷凍機（２）の温熱発生器である凝縮器は、第１主熱交換器（ＨＥＸ５）を構成している。
【０１４６】
上記第１主熱交換器（ＨＥＸ５）と第２主熱交換器（ＨＥＸ２）とは、上記実施形態６と同様に、利用側回路（２０）に直列に設けられている。つまり、第１主熱交換器（ＨＥＸ５）の出口と第２主熱交換器（ＨＥＸ２）の入口とは、第１２配管（１０５）により接続されている。第２主熱交換器（ＨＥＸ２）の出口と、各室内熱交換器（ＨＥＸ１）の入口とは、第２配管（２６）により接続されている。各室内熱交換器（ＨＥＸ１）の出口と、冷媒液ポンプ（３０）の吸入口とは、第１配管（２５）により接続されている。また、冷媒液ポンプ（３０）の吐出口と、第１主熱交換器（ＨＥＸ５）の入口とは、第３配管（２４）により接続されている。
【０１４７】
このようにして、吸収式冷凍機（１０）の第２主熱交換器（ＨＥＸ２）には、圧縮式冷凍機（２）の第１主熱交換器（ＨＥＸ５）を通過した利用側回路（２０）の冷媒が流れるようになっている。
【０１４８】
−実施形態７の効果−
以上説明したように、この実施形態７によると、温熱発生器である第１主熱交換器（ＨＥＸ５）と第２主熱交換器（ＨＥＸ２）とを利用側回路（２０）に直列に設けるようにしたので、該利用側回路（２０）の冷媒を第１主熱交換器（ＨＥＸ５）と第２主熱交換器（ＨＥＸ２）とに分配させるための機構が不要となるため、利用側回路（２０）の構成を簡単にすることができる。
【０１４９】
そのことに加えて、利用側回路（２０）の冷媒を、まず、圧縮式冷凍機（２）の第１主熱交換器（ＨＥＸ５）で予め加熱し、その後に、吸収式冷凍機（１０）の第２主熱交換器（ＨＥＸ２）でさらに高温に加熱することができる。そして、このとき、圧縮式冷凍機（２）の冷媒の凝縮圧力が比較的小さくなるため、システム全体の効率を向上させることができる。
【０１５０】
（実施形態８）
図８は、本発明に係る冷凍システムの実施形態８を示している。圧縮式冷凍機（２）と吸収式冷凍機（１０）とは、上記実施形態１と同様に、利用側回路（２０）に並列に設けられている。そして、この実施形態８では、利用側回路（２０）で冷媒を強制循環させるためのポンプは、吸入したガス冷媒を吐出する冷媒ガスポンプ（３０）に構成されている。
【０１５１】
すなわち、圧縮式冷凍機（２）の冷熱発生器である蒸発器（６）は、第１主熱交換器（ＨＥＸ５）に構成され、吸収式冷凍機（１０）の冷熱発生器である蒸発器（１３）には、第２主熱交換器（ＨＥＸ２）が設けられている。
【０１５２】
そして、第１主熱交換器（ＨＥＸ５）の出口と、各室内熱交換器（ＨＥＸ１）の入口とは、第２配管（２６）により接続されている。各室内熱交換器（ＨＥＸ１）の出口と、冷媒ガスポンプ（３０）の吸入口とは、第１配管（２５）により接続されている。また、冷媒ガスポンプ（３０）の吐出口と、第１主熱交換器（ＨＥＸ５）の入口とは、第３配管（２４）により接続されている。さらに、第２主熱交換器（ＨＥＸ２）の出口には、第４配管（２７）の一端が接続される一方、その他端が第２配管（２６）に合流して接続されている。また、第２主熱交換器（ＨＥＸ２）の入口には、第５配管（２８）の一端が接続される一方、その他端が第３配管（２４）に分岐して接続されている。
【０１５３】
−冷凍システムの作動−
次に、この実施形態８の冷凍システム（１）の作動について説明する。
【０１５４】
第１主熱交換器（ＨＥＸ５）では、圧縮式冷凍機（２）の冷媒と利用側回路（２０）の２次側冷媒との間で熱交換が行われて該２次側冷媒は冷却される。冷却された２次側冷媒は、冷媒ガスポンプ（３０）の駆動によって、第２配管（２６）を通って室内熱交換器（ＨＥＸ１）へ送られる。
【０１５５】
一方、第２主熱交換器（ＨＥＸ２）では、吸収式冷凍機（１０）の冷媒と利用側回路（２０）の２次側冷媒との間で熱交換が行われて該２次側冷媒は冷却される。冷却された２次側冷媒は、冷媒ガスポンプ（３０）の駆動により、第４配管（２７）及び第２配管（２６）を通って室内熱交換器（ＨＥＸ１）へ流れる。
【０１５６】
室内熱交換器（ＨＥＸ１）では、２次側冷媒と室内空気との間で熱交換が行われ、室内空気が冷却される。室内熱交換器（ＨＥＸ１）で吸熱して蒸発した２次側冷媒は、第１配管（２５）を介して冷媒ガスポンプ（３０）に吸い込まれ、第３配管（２４）に吐出される。第３配管（２４）を流通する２次側冷媒の一部は、第５配管（２８）で分流して第２主熱交換器（ＨＥＸ２）へ送られる一方、上記２次側冷媒の他の一部は、そのまま第３配管（２４）を流れて第１主熱交換器（ＨＥＸ５）へ送られる。このようにして、２次側冷媒は、冷媒ガスポンプ（３０）の駆動により利用側回路（２０）で循環する。
【０１５７】
−実施形態８の効果−
したがって、この実施形態８によると、第１主熱交換器（ＨＥＸ５）及び第２主熱交換器（ＨＥＸ２）のそれぞれにおいて、２次側冷媒の圧力が高くなるため、上記各冷凍機（２，１０）の１次側冷媒が蒸発し易くなる。その結果、システム全体の冷凍サイクルの効率を、冷媒液ポンプを設ける場合に比べて向上させることができる。特に、吸収式冷凍機（１０）の冷媒圧力を低下させることで該吸収式冷凍機（１０）を小さくし、システム全体の小型化を図ることができる。
【０１５８】
（実施形態９）
図９及び図１０は、本発明の実施形態９を示している。この実施形態９では、上記実施形態１におけるポンプ（３０）を、次に述べるポンプ回路（３０）により構成するようにしている。
【０１５９】
−ポンプ回路の構成−
まず、図１０を参照して、ポンプ回路（３０）の構成について説明する。ポンプ回路（３０）は、第１メインタンク（Ｔ１）、第２メインタンク（Ｔ２）、サブタンク（ＳＴ）、及びバッファタンク（ＢＴ）を備えている。また、ポンプ回路（３０）には、高圧部である加熱熱交換器（ＨＥＸ３）と、低圧部である冷却熱交換器（ＨＥＸ４）とがそれぞれ設けられている。さらに、ポンプ回路（３０）には、該ポンプ回路（３０）を駆動するための駆動用回路（５０）が接続されている。
【０１６０】
上記加熱熱交換器（ＨＥＸ３）は、第１メインタンク（Ｔ１）、第２メインタンク（Ｔ２）及びサブタンク（ＳＴ）のそれぞれに対し、タンク加圧電磁弁（ＳＶＨ１，ＳＶＨ２，ＳＶＨ３）を介して配管接続されている。一方、上記冷却熱交換器（ＨＥＸ４）は、第１メインタンク（Ｔ１）、第２メインタンク（Ｔ２）及びサブタンク（ＳＴ）のそれぞれに対し、タンク減圧電磁弁（ＳＶＬ１，ＳＶＬ２，ＳＶＬ３）を介して配管接続される。これらタンク加圧電磁弁（ＳＶＨ１，ＳＶＨ２，ＳＶＨ３）、及びタンク減圧電磁弁（ＳＶＬ１，ＳＶＬ２，ＳＶＬ３）は、切換手段（４６）を構成している。切換手段（４６）は、各タンク（Ｔ１，Ｔ２，ＳＴ）を加熱熱交換器（ＨＥＸ３）に連通する状態と、冷却熱交換器（ＨＥＸ４）に連通する状態とに切り換えるためのものである。
【０１６１】
そして、上記ポンプ回路（３０）は、一方のタンク（Ｔ１，Ｔ２）を加熱熱交換器（ＨＥＸ３）に連通させて加圧することにより該タンク（Ｔ１，Ｔ２）内から液冷媒を押し出す一方、他方のタンク（Ｔ１，Ｔ２）を冷却熱交換器（ＨＥＸ４）に連通させて減圧することにより該タンク（Ｔ１，Ｔ２）内に液冷媒を吸引することで、２次側冷媒を利用側回路（２０）で所定方向に循環させるように構成されている。
【０１６２】
すなわち、上記第１メインタンク（Ｔ１）及び第２メインタンク（Ｔ２）は、液冷媒を溜めるためのものであって、略円筒形の密閉容器状に形成されている。第１，第２メインタンク（Ｔ１，Ｔ２）は、第１，第２給排管（４１，４２）と、流出側液配管（３７）と、流入側液配管（３８）とを介して、上記利用側回路（２０）に接続されている。
【０１６３】
上記流出側液配管（３７）は、その一端が第１配管（２５）に接続される一方、他端側で２つの分岐管（３７ａ，３７ｂ）に分岐されている。流出側液配管（３７）の第１分岐管（３７ａ）には、第１流出側逆止弁（ＣＶＨ１）が設けられている。この第１流出側逆止弁（ＣＶＨ１）は、第１メインタンク（Ｔ１）から流出する方向の冷媒流通だけを許容する。流出側液配管（３７）の第２分岐管（３７ｂ）には、第２流出側逆止弁（ＣＶＨ２）が設けられている。この第２流出側逆止弁（ＣＶＨ２）は、第２メインタンク（Ｔ２）から流出する方向の冷媒流通だけを許容する。
【０１６４】
上記流入側液配管（３８）は、その一端が第２配管（２６）に接続される一方、他端側で２つの分岐管（３８ａ，３８ｂ）に分岐されている。流入側液配管（３８）の第１分岐管（３８ａ）には、第１流入側逆止弁（ＣＶＬ１）が設けられている。この第１流入側逆止弁（ＣＶＬ１）は、第１メインタンク（Ｔ１）へ流入する方向の冷媒流通だけを許容する。流入側液配管（３８）の第２分岐管（３８ｂ）には、第２流入側逆止弁（ＣＶＬ２）が設けられている。この第２流入側逆止弁（ＣＶＬ２）は、第２メインタンク（Ｔ２）へ流入する方向の冷媒流通だけを許容する。
【０１６５】
上記第１給排管（４１）は、その一端が第１メインタンク（Ｔ１）の内部に延びている。この第１給排管（４１）の一端は、下向きにほぼ９０°曲がった形状とされ、第１メインタンク（Ｔ１）の底面付近に開口している。第１給排管（４１）の他端は、流出側液配管（３７）の第１分岐管（３７ａ）と、流入側液配管（３８）の第１分岐管（３８ａ）との連結部に接続されている。
【０１６６】
上記第２給排管（４２）は、その一端が第２メインタンク（Ｔ２）の内部に延びている。この第２給排管（４２）の一端は、下向きにほぼ９０°曲がった形状とされ、第２メインタンク（Ｔ２）の底面付近に開口している。第２給排管（４２）の他端は、流出側液配管（３７）の第２分岐管（３７ｂ）と、流入側液配管（３８）の第２分岐管（３８ｂ）との連結部に接続されている。
【０１６７】
上記サブタンク（ＳＴ）は、メインタンク（Ｔ１，Ｔ２）よりも小型の密閉容器状に形成されている。このサブタンク（ＳＴ）は、上記加熱熱交換器（ＨＥＸ３）に液冷媒を供給するためのものである。サブタンク（ＳＴ）は、加熱熱交換器（ＨＥＸ３）よりも上方に配置されている。
【０１６８】
サブタンク（ＳＴ）の上端部には、液吸引管（３５）の一端が接続されている。この液吸引管（３５）の他端は、上記流出側液配管（３７）における第１，第２流出側逆止弁（ＣＶＨ１，ＣＶＨ２）の下流側に接続されている。また、液吸引管（３５）には、第３流入側逆止弁（ＣＶＬ３）が設けられている。第３流入側逆止弁（ＣＶＬ３）は、サブタンク（ＳＴ）へ流入する方向の冷媒流通だけを許容する。
【０１６９】
サブタンク（ＳＴ）の下端部には、液送出管（３４）の一端が接続されている。この液送出管（３４）の他端は、加熱熱交換器（ＨＥＸ３）における２次側の下端に接続されている。また、液送出管（３４）には、サブタンク（ＳＴ）から加熱熱交換器（ＨＥＸ３）へ向かって順に、第３流出側逆止弁（ＣＶＨ３）とバッファタンク（ＢＴ）とが設けられている。この第３流出側逆止弁（ＣＶＨ３）は、サブタンク（ＳＴ）から流出する方向の冷媒流通だけを許容する。
【０１７０】
上記バッファタンク（ＢＴ）は、サブタンク（ＳＴ）から加熱熱交換器（ＨＥＸ３）へ送られる液冷媒を一時的に溜めるためのものである。このバッファタンク（ＢＴ）は、サブタンク（ＳＴ）よりも下方かつ加熱熱交換器（ＨＥＸ３）よりも上方に配置されている。また、バッファタンク（ＢＴ）は、均圧管（３９）を介して、加熱熱交換器（ＨＥＸ３）における２次側の上端と連通されている。従って、バッファタンク（ＢＴ）に溜められた液冷媒は、位置ヘッド差によって加熱熱交換器（ＨＥＸ３）の２次側に送り込まれる。
【０１７１】
上記加熱熱交換器（ＨＥＸ３）は、液冷媒を加熱して高圧のガス冷媒を生成するためのものであって、いわゆるプレート型熱交換器により構成されている。この加熱熱交換器（ＨＥＸ３）は、１次側を流れる駆動用回路（５０）の冷媒と、２次側を流れるポンプ回路（３０）の冷媒とを熱交換させる。加熱熱交換器（ＨＥＸ３）の２次側は、送り込まれた冷媒が蒸発することによって高圧に維持される。加熱熱交換器（ＨＥＸ３）で生じたガス冷媒は、両メインタンク（Ｔ１，Ｔ２）やサブタンク（ＳＴ）を加圧するために利用される。
【０１７２】
加熱熱交換器（ＨＥＸ３）における２次側の上端には、ガス供給管（３１）の一端が接続されている。ガス供給管（３１）は、他端側で３本の分岐管（３１ａ，３１ｂ，３１ｃ）に分岐され、これら分岐管（３１ａ，３１ｂ，３１ｃ）が第１，第２メインタンク（Ｔ１，Ｔ２）やサブタンク（ＳＴ）に接続されている。そして、第１メインタンク（Ｔ１）の上端部に接続する第１分岐管（３１ａ）には第１タンク加圧電磁弁（ＳＶＨ１）が、第２メインタンク（Ｔ２）の上端部に接続する第２分岐管（３１ｂ）には第２タンク加圧電磁弁（ＳＶＨ２）が、サブタンク（ＳＴ）の上端部に接続する第３分岐管（３１ｃ）には第３タンク加圧電磁弁（ＳＶＨ３）が、それぞれ設けられている。
【０１７３】
上記冷却熱交換器（ＨＥＸ４）は、ガス冷媒を冷却して低圧の液冷媒を生成するためのものであって、いわゆるプレート型熱交換器により構成されている。この冷却熱交換器（ＨＥＸ４）は、１次側を流れる駆動用回路（５０）の冷媒と、２次側を流れるポンプ回路（３０）の冷媒とを熱交換させる。冷却熱交換器（ＨＥＸ４）の２次側は、送り込まれたガス冷媒が凝縮することによって低圧に維持される。この冷却熱交換器（ＨＥＸ４）の２次側へ両メインタンク（Ｔ１，Ｔ２）やサブタンク（ＳＴ）のガス冷媒を吸引し、メインタンク（Ｔ１，Ｔ２）やサブタンク（ＳＴ）を減圧する。
【０１７４】
冷却熱交換器（ＨＥＸ４）における２次側の上端には、ガス回収管（３２）の一端が接続されている。ガス回収管（３２）は、他端側で３本の分岐管（３２ａ，３２ｂ，３２ｃ）に分岐され、これら分岐管（３２ａ，３２ｂ，３２ｃ）が第１，第２メインタンク（Ｔ１，Ｔ２）やサブタンク（ＳＴ）に接続されている。そして、第１メインタンク（Ｔ１）の上端部に接続する分岐管（３２ａ）には第１タンク減圧電磁弁（ＳＶＬ１）が、第２メインタンク（Ｔ２）の上端部に接続する分岐管（３２ｂ）には第２タンク減圧電磁弁（ＳＶＬ２）が、サブタンク（ＳＴ）の上端部に接続する分岐管（３２ｃ）には第３タンク減圧電磁弁（ＳＶＬ３）が、それぞれ設けられている。
【０１７５】
冷却熱交換器（ＨＥＸ４）における２次側の下端には、液戻し管（３３）の一端が接続されている。液戻し管（３３）は、他端側で２本の分岐管（３３ａ，３３ｂ）に分岐されている。また、冷却熱交換器（ＨＥＸ４）は、第１，第２メインタンク（Ｔ１，Ｔ２）よりも上方に配置されている。冷却熱交換器（ＨＥＸ４）で凝縮した冷媒は、液戻し管（３３）を通じて第１，第２メインタンク（Ｔ１，Ｔ２）に戻される。
【０１７６】
上記液戻し管（３３）の第１分岐管（３３ａ）は、ガス供給管（３１）の第１分岐管（３１ａ）における第１タンク加圧電磁弁（ＳＶＨ１）と第１メインタンク（Ｔ１）の間に接続されている。また、この第１分岐管（３３ａ）には、第１液戻し逆止弁（ＣＶＲ１）が設けられている。第１液戻し逆止弁（ＣＶＲ１）は、冷却熱交換器（ＨＥＸ４）から第１メインタンク（Ｔ１）に向かう冷媒の流通だけを許容する。
【０１７７】
上記液戻し管（３３）の第２分岐管（３３ｂ）は、ガス供給管（３１）の第２分岐管（３１ｂ）における第２タンク加圧電磁弁（ＳＶＨ２）と第２メインタンク（Ｔ２）の間に接続されている。また、この第２分岐管（３３ｂ）には、第２液戻し逆止弁（ＣＶＲ２）が設けられている。第２液戻し逆止弁（ＣＶＲ２）は、冷却熱交換器（ＨＥＸ４）から第２メインタンク（Ｔ２）に向かう冷媒の流通だけを許容する。
【０１７８】
ここで、上記流出側液配管（３７）の第１，第２流出側逆止弁（ＣＶＨ１，ＣＶＨ２）と、流入側液配管（３８）の第１，第２流入側逆止弁（ＣＶＬ１，ＣＶＬ２）と、液送出管（３４）の第３流出側逆止弁（ＣＶＨ３）と、液吸引管（３５）の第３流入側逆止弁（ＣＶＬ３）と、液戻し管（３３）の第１，第２液戻し逆止弁（ＣＶＲ１，ＣＶＲ２）とは、メインタンク（Ｔ１，Ｔ２）やサブタンク（ＳＴ）へ出入りする液冷媒の流れを制御するための流通制御手段（４７）を構成している。
【０１７９】
上記駆動用回路（５０）は、駆動用圧縮機（５１）、加熱熱交換器（ＨＥＸ３）、駆動用膨張弁（５２）、冷却熱交換器（ＨＥＸ４）を順に接続して構成された閉回路である。具体的に、駆動用圧縮機（５１）の吐出側は、加熱熱交換器（ＨＥＸ３）における１次側の上端と接続されている。加熱熱交換器（ＨＥＸ３）における１次側の下端は、駆動用膨張弁（５２）の一端と接続されている。駆動用膨張弁（５２）の他端は、冷却熱交換器（ＨＥＸ４）における１次側の下端と接続されている。冷却熱交換器（ＨＥＸ４）における１次側の上端は、駆動用圧縮機（５１）の吸入側と接続されている。
【０１８０】
上記駆動用回路（５０）では、駆動用冷媒が循環し、加熱熱交換器（ＨＥＸ３）を凝縮器とし且つ冷却熱交換器（ＨＥＸ４）を蒸発器として蒸気圧縮式冷凍サイクルが行われる。この駆動用回路（５０）の冷凍サイクル動作によって、加熱熱交換器（ＨＥＸ３）の２次側が高圧に維持され、冷却熱交換器（ＨＥＸ４）の２次側が低圧に維持される。つまり、駆動用回路（５０）での冷凍サイクル動作により生成した冷熱及び温熱は、ポンプ回路（３０）が２次側冷媒に循環駆動力を付与する動作を行うために利用される。
【０１８１】
−ポンプ回路の作動−
上記駆動用圧縮機（５１）を運転すると、駆動用回路（５０）では、図１０に二点鎖線で示すように駆動用冷媒が循環し、冷凍サイクルが行われる。駆動用圧縮機（５１）から吐出された駆動用冷媒は、加熱熱交換器（ＨＥＸ３）の１次側に導入される。加熱熱交換器（ＨＥＸ３）では、１次側の駆動用冷媒が２次側の冷媒へ放熱して凝縮する。凝縮した駆動用冷媒は、駆動用膨張弁（５２）で減圧された後に、冷却熱交換器（ＨＥＸ４）の１次側へ送り込まれる。冷却熱交換器（ＨＥＸ４）では、１次側の駆動用冷媒が２次側の冷媒から吸熱して蒸発する。蒸発した駆動用冷媒は、駆動用圧縮機（５１）に吸入される。駆動用圧縮機（５１）は、吸入した駆動用冷媒を圧縮して再び吐出する。
【０１８２】
上記駆動用回路（５０）の冷凍サイクル動作により、加熱熱交換器（ＨＥＸ３）の２次側が高圧に維持され、冷却熱交換器（ＨＥＸ４）の２次側が低圧に維持される。タンク加圧電磁弁（ＳＶＨ１〜ＳＶＨ３）及びタンク減圧電磁弁（ＳＶＬ１〜ＳＶＬ３）を所定のタイミングで開閉することにより、ポンプ回路（３０）では、第１，第２メインタンク（Ｔ１，Ｔ２）やサブタンク（ＳＴ）を加熱熱交換器（ＨＥＸ３）と連通させて加圧する加圧動作と、第１，第２メインタンク（Ｔ１，Ｔ２）やサブタンク（ＳＴ）を冷却熱交換器（ＨＥＸ４）と連通させて減圧する減圧動作とが、切り換えて行われる。
【０１８３】
まず、第１，第２メインタンク（Ｔ１，Ｔ２）を加圧又は減圧する動作について説明する。ここでは、第１タンク加圧電磁弁（ＳＶＨ１）及び第２タンク減圧電磁弁（ＳＶＬ２）が開放され、第１タンク減圧電磁弁（ＳＶＬ１）及び第２タンク加圧電磁弁（ＳＶＨ２）が閉鎖された状態にあるところから説明を始める。
【０１８４】
この状態において、第１メインタンク（Ｔ１）は、加熱熱交換器（ＨＥＸ３）の２次側と連通する。第１メインタンク（Ｔ１）には、加熱熱交換器（ＨＥＸ３）の高圧のガス冷媒がガス供給管（３１，３１ａ）を通じて供給され、これによって第１メインタンク（Ｔ１）が加圧される。第１メインタンク（Ｔ１）を加圧すると、溜められていた液冷媒が第１メインタンク（Ｔ１）から押し出される。この時には、第１流出側逆止弁（ＣＶＨ１）が連通状態となり、第１流入側逆止弁（ＣＶＬ１）が遮断状態となっている。従って、第１メインタンク（Ｔ１）から押し出された液冷媒は、図１０に実線の矢印で示すように、第１給排管（４１）及び流出側液配管（３７ａ，３７）を流れて利用側回路（２０）に送り出される。
【０１８５】
一方、第２メインタンク（Ｔ２）は、冷却熱交換器（ＨＥＸ４）の２次側と連通する。第２メインタンク（Ｔ２）内のガス冷媒は、ガス回収管（３２ｂ，３２）を通じて冷却熱交換器（ＨＥＸ４）に吸引され、これによって第２メインタンク（Ｔ２）が減圧される。第２メインタンク（Ｔ２）を減圧すると、第２メインタンク（Ｔ２）に利用側回路（２０）から２次側冷媒が回収される。つまり、この時には、第２流出側逆止弁（ＣＶＨ２）が遮断状態となり、第２流入側逆止弁（ＣＶＬ２）が連通状態となっている。従って、利用側回路（２０）の２次側冷媒は、図１０に実線の矢印で示すように、流入側液配管（３８，３８ｂ）及び第２給排管（４２）を流れて第２メインタンク（Ｔ２）へ流入する。
【０１８６】
このような動作を所定時間行い、第１メインタンク（Ｔ１）が空になると、ポンプ回路（３０）の電磁弁（ＳＶＨ１，ＳＶＨ２，…）を切換える。つまり、第１タンク加圧電磁弁（ＳＶＨ１）及び第２タンク減圧電磁弁（ＳＶＬ２）を閉鎖し、第１タンク減圧電磁弁（ＳＶＬ１）及び第２タンク加圧電磁弁（ＳＶＨ２）を開放する。
【０１８７】
この状態では、第１メインタンク（Ｔ１）が減圧されると共に、第１流入側逆止弁（ＣＶＬ１）が連通状態となり、第１流出側逆止弁（ＣＶＨ１）が遮断状態となる。そして、第１メインタンク（Ｔ１）には、流入側液配管（３８，３８ａ）及び第１給排管（４１）を通じて、利用側回路（２０）の２次側冷媒が流入する。また、第２メインタンク（Ｔ２）が加圧されると共に、第２流入側逆止弁（ＣＶＬ２）が遮断状態となり、第２流出側逆止弁（ＣＶＨ２）が連通状態となる。そして、第２メインタンク（Ｔ２）から押し出された冷媒は、第２給排管（４２）及び流出側液配管（３７ｂ，３７）を通じて、利用側回路（２０）に送り込まれる。
【０１８８】
以上説明したように、ポンプ回路（３０）では、両メインタンク（Ｔ１，Ｔ２）の加減圧が交互に行われ、メインタンク（Ｔ１，Ｔ２）からの液冷媒の押し出しと、メインタンク（Ｔ１，Ｔ２）への液冷媒の回収とが行われる。この動作により、ポンプ回路（３０）は、利用側回路（２０）の２次側冷媒に循環駆動力を付与する。
【０１８９】
次に、サブタンク（ＳＴ）を加減圧する動作について説明する。ここでは、第３タンク加圧電磁弁（ＳＶＨ３）が開放され、第３タンク減圧電磁弁（ＳＶＬ３）が閉鎖された状態にあるところから説明を始める。
【０１９０】
この状態において、サブタンク（ＳＴ）は、加熱熱交換器（ＨＥＸ３）の２次側と連通する。サブタンク（ＳＴ）には、加熱熱交換器（ＨＥＸ３）の高圧のガス冷媒がガス供給管（３１，３１ｃ）を通じて供給され、これによってサブタンク（ＳＴ）が加圧される。サブタンク（ＳＴ）を加圧すると、溜められていた液冷媒がサブタンク（ＳＴ）から押し出される。この時には、第３流出側逆止弁（ＣＶＨ３）が連通状態となり、第３流入側逆止弁（ＣＶＬ３）が遮断状態となっている。従って、サブタンク（ＳＴ）から押し出された液冷媒は、図１０に破線の矢印で示すように、液送出管（３４）を流れ、バッファタンク（ＢＴ）を通って加熱熱交換器（ＨＥＸ３）へ送り込まれる。
【０１９１】
その後、サブタンク（ＳＴ）が空になると、今度は第３タンク加圧電磁弁（ＳＶＨ３）を閉鎖し、第３タンク減圧電磁弁（ＳＶＬ３）を開放する。この状態において、サブタンク（ＳＴ）は、冷却熱交換器（ＨＥＸ４）の２次側と連通する。サブタンク（ＳＴ）内のガス冷媒は、ガス回収管（３２ｃ，３２）を通じて冷却熱交換器（ＨＥＸ４）に吸引され、これによってサブタンク（ＳＴ）が減圧される。サブタンク（ＳＴ）を減圧すると、流出側液配管（３７）を流れる液冷媒の一部がサブタンク（ＳＴ）に回収される。つまり、この時には、第３流入側逆止弁（ＣＶＬ３）が連通状態となり、第３流出側逆止弁（ＣＶＨ３）が遮断状態となっている。従って、第１又は第２メインタンク（Ｔ１，Ｔ２）から押し出されて流出側液配管（３７）を流れる液冷媒の一部が、液吸引管（３５）を通ってサブタンク（ＳＴ）へ流入する。
【０１９２】
以上のようにサブタンク（ＳＴ）を加減圧し、加熱熱交換器（ＨＥＸ３）に対して液冷媒を供給する。供給された液冷媒は、加熱熱交換器（ＨＥＸ３）を高圧に維持するために利用される。また、サブタンク（ＳＴ）を減圧する状態では、バッファタンク（ＢＴ）に溜まった液冷媒が加熱熱交換器（ＨＥＸ３）へ流入する。従って、加熱熱交換器（ＨＥＸ３）の２次側には、継続的に液冷媒が送り込まれる。
【０１９３】
上記冷却熱交換器（ＨＥＸ４）の２次側で凝縮した冷媒は、液戻し管（３３）を通じて第１又は第２メインタンク（Ｔ１，Ｔ２）に戻される。具体的に、第２メインタンク（Ｔ２）を減圧する状態では、第１液戻し逆止弁（ＣＶＲ１）が遮断状態となり、第２液戻し逆止弁（ＣＶＲ２）が連通状態となる。そして、冷却熱交換器（ＨＥＸ４）で凝縮した冷媒は、液戻し管（３３）及びその第２分岐管（３３ｂ）を流れ、上記ガス供給管（３１）の第２分岐管（３１ｂ）を通って第２メインタンク（Ｔ２）へ流入する。逆に、第１メインタンク（Ｔ１）を減圧する状態では、第２液戻し逆止弁（ＣＶＲ２）が遮断状態となり、第１液戻し逆止弁（ＣＶＲ１）が連通状態となる。そして、冷却熱交換器（ＨＥＸ４）で凝縮した冷媒は、液戻し管（３３）及びその第１分岐管（３３ａ）を流れ、上記ガス供給管（３１）の第１分岐管（３１ａ）を通って第１メインタンク（Ｔ１）へ流入する。
【０１９４】
−冷凍システムの作動−
上記ポンプ回路（３０）が駆動することによって、２次側冷媒は、利用側回路（２０）で循環する。すなわち、第１主熱交換器（ＨＥＸ５）で冷却された２次側冷媒は、第２配管（２６）を通ってポンプ回路（３０）のタンク（Ｔ１，Ｔ２）へ吸引される。また、第２主熱交換器（ＨＥＸ２）で冷却された２次側冷媒は、第４配管（２７）及び第２配管（２６）を通ってポンプ回路（３０）のタンク（Ｔ１，Ｔ２）へ吸引される。このことにより、ポンプ回路（３０）のタンク（Ｔ１，Ｔ２）に溜められていた液冷媒が押し出されて第１配管（２５）へ供給される。
【０１９５】
第１配管（２５）を流れる２次側冷媒は、室内熱交換器（ＨＥＸ１）で蒸発した後、第３配管（２４）を通って第１主熱交換器（ＨＥＸ５）及び第２主熱交換器（ＨＥＸ２）へ送られて再び冷却される。
【０１９６】
−実施形態９の効果−
以上説明したように、この実施形態９によると、利用側回路（２０）のポンプを、比較的寿命の長い上記ポンプ回路（３０）により構成したので、冷凍システムの信頼性を向上させることができる。
【０１９７】
（実施形態１０）
図１１は、本発明の実施形態１０を示している。この実施形態１０の冷凍システム（１）は、上記実施形態９において、駆動回路（５０）を設ける代わりに、ポンプ回路（３０）の加熱熱交換器（ＨＥＸ３）に、圧縮式冷凍機（２）又は吸収式冷凍機（１０）の温熱発生器からの放出熱を供給することで、ポンプ回路（３０）を駆動させるようにしたものである。
【０１９８】
すなわち、上記温熱発生器は、圧縮式冷凍機（２）の凝縮器（４）と、吸収式冷凍機（１０）の凝縮器（１２）により構成されている。そして、凝縮器（４）と、ポンプ回路（３０）の加熱熱交換器（ＨＥＸ３）とは、第１水配管（６５）により接続されている。第１水配管（６５）には、第１閉鎖弁（６７）が設けられている。第１水配管（６５）には、凝縮器（４）を通過する圧縮式冷凍機（２）の冷媒を凝縮させるための冷却水が流通するようになっている。
【０１９９】
また、凝縮器（１２）には、第２水配管（６６）の一端が接続され、その他端が上記第１水配管（６５）に合流して接続されている。第２水配管（６６）には、第２閉鎖弁（６８）が設けられている。第２配管（６６）には、凝縮器（１２）を通過する吸収式冷凍機（１０）の冷媒を冷却するための冷却水が流通するようになっている。
【０２００】
こうして、上記凝縮器（４，１２）を通過して加熱された冷却水を加熱熱交換器（ＨＥＸ３）へ供給するようにしている。また、図示は省略するが、加熱熱交換器（ＨＥＸ３）を通過した冷却水を、冷却塔へ送って冷却した後に、再び各凝縮器（４，１２）へ戻すようにしている。
【０２０１】
−冷凍システムの作動−
まず、凝縮器（４）で昇温した冷却水は、第１閉鎖弁（６７）を開放することで、第１水配管（６５）を通って加熱熱交換器（ＨＥＸ３）へ送られる。一方、凝縮器（１２）で昇温した冷却水は、第２閉鎖弁（６８）を開放することで、第２水配管（６６）を通って加熱熱交換器（ＨＥＸ３）へ送られる。加熱熱交換器（ＨＥＸ３）では、供給された高温の冷却水により、ポンプ回路（３０）の液冷媒が加熱されて高圧のガス冷媒が生成される。そして、加熱熱交換器（ＨＥＸ３）で熱が奪われた冷却水は、外部の冷却塔へ送られて冷却された後、各凝縮器（４，１２）へ戻る。
【０２０２】
このことにより、ポンプ回路（３０）が駆動し、第１主熱交換器（ＨＥＸ５）及び第２主熱交換器（ＨＥＸ２）で冷却された２次側冷媒は、利用側回路（２０）で循環する。
【０２０３】
−実施形態１０の効果−
したがって、この実施形態１０によると、加熱熱交換器（ＨＥＸ３）では、圧縮式冷凍機（２）及び吸収式冷凍機（１０）の各凝縮器（４，１２）の放出熱によって、液冷媒を加熱して高圧のガス冷媒を生成することが可能となる。その結果、２次側冷媒を利用側回路（２０）で強制循環させるためのエネルギーを、別途、発電機等から供給する必要がないため、システム全体の省エネルギー化を図ることができる。
【０２０４】
（実施形態１１）
図１２は、本発明に係る冷凍システムの実施形態１１を示している。この実施形態１１では、上記実施形態１において、吸収式冷凍機（１０）は、発電機（１５）の排熱を熱源として駆動するように構成されている。
【０２０５】
上記発電機（１５）は、該発電機（１５）を駆動するための内燃機関である例えばガスエンジン（１６）を備えている。そして、このガスエンジン（１６）により燃料ガスを燃焼し、電気エネルギーを発生させるようになっている。
【０２０６】
また、上記吸収式冷凍機（１０）の再生器（１１）は、上記ガスエンジン（１６）の排気ガスが直接に供給されるように構成されている。再生器（１１）は、発電機（１５）からの排気ガスと、再生器（１１）の吸収溶液との間で熱交換を行うための排ガス熱交換器（ＨＥＸ７）を備えている。
【０２０７】
すなわち、ガスエンジン（１６）の排気口と、排ガス熱交換器（ＨＥＸ７）とは、排気ガスが流通する排気管（１８）により接続されている。そして、排ガス熱交換器（ＨＥＸ７）において、ガスエンジン（１６）の排気ガスと、再生器（１１）の吸収溶液との間で直接に熱交換を行い、該吸収溶液を加熱するようにしている。また、排ガス熱交換器（ＨＥＸ７）を通過して熱が奪われた排気ガスは、吸収式冷凍機（１０）の外部へ排気されるようになっている。
【０２０８】
こうして、吸収式冷凍機（１０）では、排気ガスを温熱源として１次側の冷媒が１次側の冷媒回路（８）で循環することにより、蒸発器（１３）で冷熱が発生する。蒸発器（１３）で発生した冷熱は、第２主熱交換器（ＨＥＸ２）で利用側回路（２０）の２次側冷媒を冷却する。この２次側冷媒は、冷媒液ポンプ（３０）の駆動により室内熱交換器（ＨＥＸ１）へ送られる。
【０２０９】
−実施形態１１の効果−
したがって、この実施形態１１によると、発電機（１５）のガスエンジン（１６）の排熱を、再生器（１１）へ供給するようにしたので、発電機（１５）の排熱を有効に利用して吸収式冷凍機（１０）を駆動することができる。そして、この吸収式冷凍機（１０）による冷却効果が不足するような場合には、その不足分を圧縮式冷凍機（２）によって補うことができる。
【０２１０】
（実施形態１２）
図１３は、本発明に係る冷凍システムの実施形態１２を示している。この実施形態１２では、上記実施形態１１において、発電機（１５）が、ガスタービン発電機（１５）であって、利用側回路（２０）の利用側ユニットのうちの１つは、ガスタービン発電機（１５）へ吸入される空気を冷却するように構成されている。
【０２１１】
すなわち、発電機（１５）は、ガスタービン（１６）を備えている。ガスタービン（１６）は、圧縮機（７１）と、燃焼器（７２）と、タービン部（７３）とを備えている。燃焼器（７２）の入口には、燃料供給管（７５）の一端が接続されている。圧縮機（７１）の出口には、空気供給管（７６）の一端が接続されており、その他端は、上記燃料供給管（７５）に合流接続されている。また、燃焼器（７２）の出口とタービン部（７３）の入口とは、ガス通路（７７）により接続されている。タービン部（７３）の出口と、吸収式冷凍機（１０）の排ガス熱交換器（ＨＥＸ７）の入口とは、排気管（１８）により接続されている。
【０２１２】
そして、上記各実施形態では、複数の利用側ユニットを室内ユニット（２２）に構成していたが、この実施形態では、複数の利用側ユニットの少なくとも１つを、タービン吸気冷却器（８０）に構成している。タービン吸気冷却器（８０）は、ガスタービン（１６）へ供給する空気と、利用側回路（２０）の２次側冷媒との間で熱交換を行うための熱交換器（ＨＥＸ１０）を備えている。
【０２１３】
具体的に、上記熱交換器（ＨＥＸ１０）の入口には、第１配管（２５）の分岐している一端が接続される一方、熱交換器（ＨＥＸ１０）の出口には、第３配管（２４）の分岐している一端が接続されている。さらに、熱交換器（ＨＥＸ１０）には、外部から取り入れられた空気が流通する第１空気通路（８１）の一端が接続されている。また、タービン吸気冷却器（ＨＥＸ１０）とガスタービン（１６）の圧縮機（７１）とは、第２空気通路（８２）により接続されている。
【０２１４】
こうして、外部の空気は、第１空気通路（８１）を介してタービン冷却器（８０）の熱交換器（ＨＥＸ１０）へ導入される。導入された空気は、利用側回路（２０）の２次側冷媒との間で熱交換が行われて冷却される。熱交換器（ＨＥＸ１０）で冷却された空気は、第２空気通路（８２）を通って、ガスタービン（１６）の圧縮機（７１）へ供給される。吸入空気は、圧縮機（７１）で圧縮され、空気供給管（７６）を介して燃焼器（７２）へ供給される。
【０２１５】
一方、燃焼器（７２）では、燃料供給管（７５）を介して供給される燃焼用ガスと、空気供給管（７６）を介して供給される冷却吸入空気とが混合されて燃焼する。この燃焼ガスは、ガス通路（７７）を通ってタービン部（７３）へ送られる。タービン部（７３）では、燃焼ガスが膨張して仕事をし、燃焼後の排気ガスが排気管（１８）を介して、吸収式冷凍機（１０）の再生器（１１）へ供給される。このことにより、吸収式冷凍機（１０）は、上記排気ガスを熱源として駆動し、利用側回路（２０）において、室内ユニット（２２）と共にタービン吸気冷却器（８０）が作動する。
【０２１６】
−実施形態１２の効果−
したがって、この実施形態１２によると、吸収式冷凍機（１０）から生じる冷熱の一部がガスタービン（１６）へ吸入される空気を冷却するため、室外の気温が比較的高いときであっても、吸入空気の温度上昇を低減して、発電機（１５）の出力や発電効率の低下を抑制することができる。
【０２１７】
尚、上記各実施形態では、吸収式冷凍機（１０）を、１つの再生器（１１）を備えるいわゆる１重効用のものとしたが、低温再生器、高温再生器、高温溶液熱交換器及び低温溶液熱交換器を備えた２重効用の吸収式冷凍機としてもよい。
【０２１８】
【発明の効果】
以上説明したように、請求項１に係る発明によると、圧縮式冷凍機と、吸収式冷凍機と、圧縮式冷凍機及び吸収式冷凍機で発生する冷熱又は温熱を、相変化する冷媒により利用側ユニットへ搬送する利用側回路とを備え、利用側回路には、圧縮式冷凍機及び吸収式冷凍機の各冷熱発生器、又は圧縮式冷凍機及び吸収式冷凍機の各温熱発生器をそれぞれ直接に接続することにより、圧縮式冷凍機及び吸収式冷凍機で発生した冷熱又は温熱は、各冷熱発生器又は温熱発生器において１回の熱交換により利用側回路の冷媒へ伝えられるため、熱交換に伴う熱損失を抑制して、該利用側回路の冷媒を効率よく冷却又は加熱することができる。
【０２１９】
請求項２に係る発明によると、圧縮式冷凍機と、吸収式冷凍機と、圧縮式冷凍機及び吸収式冷凍機で発生する冷熱又は温熱を、相変化する冷媒により利用側ユニットへ搬送する利用側回路とを備え、利用側回路には、圧縮式冷凍機の冷熱発生器又は温熱発生器と、吸収式冷凍機の冷熱発生器及び温熱発生器とをそれぞれ直接に接続すると共に、冷房時に冷媒が各冷熱発生器に流れ、暖房時に冷媒が各温熱発生器に流れるように冷媒通路を切り換える切換機構を設けることにより、切換機構による冷媒通路の切り換えによって、冷房時に、各冷熱発生器において各冷凍機の冷媒と利用側回路の冷媒との間で直接に熱交換させる一方、暖房時に、各温熱発生器において各冷凍機の冷媒や吸収溶液と利用側回路の冷媒との間で直接に熱交換させることができる。
【０２２０】
請求項３に係る発明では、圧縮式冷凍機及び吸収式冷凍機の各冷熱発生器を、利用側回路に直列に設ける。また、請求項４に係る発明では、圧縮式冷凍機及び吸収式冷凍機の各温熱発生器を、利用側回路に直列に設ける。これら請求項３及び４に係る発明によると、利用側回路における冷媒を各冷熱発生器又は各温熱発生器へ分配するための機構が不要となるため、該利用側回路を簡単な構成とすることができる。
【０２２１】
請求項５に係る発明によると、吸収式冷凍機の冷媒は水であり、圧縮式冷凍機の冷熱発生器には、吸収式冷凍機の冷熱発生器を通過した利用側回路の冷媒が流れるように構成することにより、吸収式冷凍機の冷媒が水である場合には、その蒸発温度は０℃を下回れないため、利用側回路の冷媒を、まず、吸収式冷凍機の冷熱発生器で冷却し、その後に、圧縮式冷凍機の冷熱発生器でさらに冷却することで、利用側回路の冷媒を効率よく冷却することが可能となる。
【０２２２】
請求項６に係る発明によると、吸収式冷凍機の冷媒の蒸発温度は０℃以下であり、吸収式冷凍機の冷熱発生器には、圧縮式冷凍機の冷熱発生器を通過した利用側回路の冷媒が流れるように構成することにより、圧縮式冷凍機の冷媒の蒸発圧力が比較的大きくなるため、システム全体の効率を向上させることができる。
【０２２３】
請求項７に係る発明によると、吸収式冷凍機の温熱発生器には、圧縮式冷凍機の温熱発生器を通過した利用側回路の冷媒が流れるように構成することにより、圧縮式冷凍機の冷媒の凝縮圧力が比較的小さくなるため、システム全体の効率を向上させることが可能となる。
【０２２４】
請求項８に係る発明によると、圧縮式冷凍機の冷熱発生器が、圧縮式冷凍機の蒸発器であり、吸収式冷凍機の冷熱発生器が、吸収式冷凍機の蒸発器であることにより、利用側回路の冷媒を、圧縮式冷凍機の蒸発器と、吸収式冷凍機の蒸発器との双方より冷却することが可能となる。
【０２２５】
請求項９に係る発明によると、圧縮式冷凍機の温熱発生器が、圧縮式冷凍機の凝縮器であることにより、利用側回路の冷媒を、圧縮式冷凍機の凝縮器により加熱することが可能となる。
【０２２６】
請求項１０に係る発明によると、吸収式冷凍機の温熱発生器が、吸収式冷凍機の凝縮器及び吸収器の少なくとも一方であることにより、利用側回路の冷媒を、圧縮式冷凍機の凝縮器により加熱すると共に、吸収式冷凍機の凝縮器及び吸収器の少なくとも一方により加熱することができる。
【０２２７】
請求項１１に係る発明によると、吸収式冷凍機の温熱発生器を、吸収式冷凍機の冷媒の凝縮熱によって利用側回路の冷媒を加熱する熱交換器とすることにより、利用側回路の冷媒を、吸収式冷凍機の冷媒の凝縮熱によって利用側回路の冷媒を加熱する熱交換器において加熱することが可能となる。
【０２２８】
請求項１２に係る発明によると、利用側回路は、利用側回路で冷媒を強制循環させるためのポンプを備え、ポンプを、吸入した液冷媒を吐出する冷媒液ポンプとすることにより、冷媒液ポンプという簡単な構成によって、冷媒を利用側回路で循環させることができる。
【０２２９】
請求項１３に係る発明によると、利用側回路は、利用側回路で冷媒を強制循環させるためのポンプを備え、ポンプを、吸入したガス冷媒を吐出する冷媒ガスポンプとすることにより、冷媒ガスポンプが冷熱発生器に接続されている場合には、冷熱発生器の２次側の冷媒圧力が高くなるため、冷熱発生器の１次側で冷媒が蒸発し易くなる。一方、冷媒ガスポンプが温熱発生器に接続されている場合には、温熱発生器の２次側の冷媒圧力が低くなるため、温熱発生器の１次側で冷媒が凝縮し易くなる。その結果、冷凍システムの冷凍サイクルの効率を、液ポンプを設ける場合に比べて向上させることができる。特に、吸収式冷凍機の冷媒圧力を低下させることで該吸収式冷凍機を小さくし、システム全体の小型化を図ることができる。
【０２３０】
請求項１４に係る発明によると、利用側回路は、利用側回路で冷媒を強制循環させるためのポンプを備え、ポンプを、液冷媒を貯留するためのタンクと、液冷媒を加熱して高圧のガス冷媒を生成する高圧部と、ガス冷媒を冷却して低圧の液冷媒を生成する低圧部とを備え、タンクを高圧部に連通させて加圧することによりタンク内から液冷媒を押し出す一方、タンクを低圧部に連通させて減圧することによりタンク内に液冷媒を吸引するように構成することにより、タンク内を高圧部に連通して加圧することで、タンク内の液冷媒を外部の利用側回路へ押し出すことができる。一方、タンクが低圧部に連通して減圧することで、外部の利用側回路の冷媒をタンク内へ吸引することができる。その結果、冷媒を利用側回路で循環させることができる。
【０２３１】
請求項１５に係る発明によると、ポンプの高圧部に、圧縮式冷凍機又は吸収式冷凍機の温熱発生器からの放出熱を供給することにより、高圧部では、その放出熱により液冷媒を加熱して高圧のガス冷媒を生成することが可能となる。その結果、冷媒を利用側回路で強制循環させるためのエネルギーを、別途、発電機等から供給する必要がないため、システム全体の省エネルギー化を図ることができる。
【０２３２】
請求項１６に係る発明によると、吸収式冷凍機を、発電機の排熱を熱源として駆動するように構成することにより、発電機の排熱を有効に利用して吸収式冷凍機を駆動することができる。そして、この吸収式冷凍機による冷却効果又は加熱効果が不足する場合には、その不足分を圧縮式冷凍機により補うようにすることができる。
【０２３３】
請求項１７に係る発明によると、発電機は、ガスタービン発電機であって、利用側回路の利用側ユニットは、複数設けられており、利用側ユニットの少なくとも１つを、ガスタービン発電機へ吸入される空気を冷却するように構成することにより、圧縮式冷凍機及び吸収式冷凍機から生じる冷熱の一部がガスタービン発電機へ吸入される空気を冷却するため、発電機の出力の低下を防止することができる。
【図面の簡単な説明】
【図１】実施形態１の冷凍システムの冷媒回路を示す回路図である。
【図２】実施形態２の冷凍システムの冷媒回路を示す回路図である。
【図３】実施形態３の冷凍システムの冷媒回路を示す回路図である。
【図４】実施形態４の冷凍システムの冷媒回路を示す回路図である。
【図５】実施形態５の冷凍システムの冷媒回路を示す回路図である。
【図６】実施形態６の冷凍システムの冷媒回路を示す回路図である。
【図７】実施形態７の冷凍システムの冷媒回路を示す回路図である。
【図８】実施形態８の冷凍システムの冷媒回路を示す回路図である。
【図９】実施形態９の冷凍システムの冷媒回路を示す回路図である。
【図１０】実施形態９のポンプ回路を示す回路図である。
【図１１】実施形態１０の冷凍システムの冷媒回路を示す回路図である。
【図１２】実施形態１１の冷凍システムの冷媒回路を示す回路図である。
【図１３】実施形態１２の冷凍システムの冷媒回路を示す回路図である。
【符号の説明】（１）　　　冷凍システム
（２）　　　圧縮式冷凍機
（４）　　　熱源側熱交換器（温熱発生器）
（６）　　　蒸発器（冷熱発生器）
（９）　　　暖房用加熱器（温熱発生器、熱交換器）
（１０）　吸収式冷凍機
（１２）　凝縮器（温熱発生器）
（１３）　蒸発器（冷熱発生器）
（１５）　発電機
（２０）　利用側回路
（２２）　室内ユニット（利用側ユニット）
（３０）　ポンプ回路（ポンプ）
（９２）　凝縮器
（９４）　吸収器
（Ｔ１）　第１メインタンク
（Ｔ２）　第２メインタンク
（ＨＥＸ３）　加熱熱交換器（高圧部）
（ＨＥＸ４）　冷却熱交換器（低圧部）
（ＳＶ４）　第４開閉弁（切換機構）
（ＳＶ５）　第５開閉弁（切換機構）
【図１】
2004101035.tif 000003
【図２】
2004101035.tif 000004
【図３】
2004101035.tif 000005
【図４】
2004101035.tif 000006
【図５】
2004101035.tif 000007
【図６】
2004101035.tif 000008
【図７】
2004101035.tif 000009
【図８】
2004101035.tif 000010
【図９】
2004101035.tif 000011
【図１０】
2004101035.tif 000012
【図１１】
2004101035.tif 000013
【図１２】
2004101035.tif 000014
【図１３】
2004101035.tif 000015